(57)【特許請求の範囲】
【請求項１】
ワイヤレス通信の方法であって、
複数のワイヤレスローカルエリアネットワーク（ＷＬＡＮ）ビーコンの複数のターゲットビーコンの送信の時間（ＴＢＴＴ）に少なくとも部分的に基づいて、ならびにそれらの前におよびそれらと時間同期して所定の間隔でワイヤレス局の第１のラジオをパワーアップすること、
複数の第１の信号を、前記ワイヤレス局の前記第１のラジオを使用して、受信すること、前記複数の第１の信号の各々は、前記複数のＴＢＴＴのうちのそれぞれの１つの前に受信され、および前記複数のＷＬＡＮビーコンの後続のＷＬＡＮビーコンに関するトラフィック表示マップ（ＴＩＭ）の表示を備える、ここにおいて、前記複数の第１の信号は、ローエナジー（ＬＥ）通信プロトコルを使用して受信される、および
前記表示に応答して、前記複数のＷＬＡＮビーコンの選択されたＷＬＡＮビーコンを受信するために、前記ワイヤレス局の第２のラジオを選択的にパワーアップすること
を備える、方法。
【請求項２】
前記複数の第１の信号は、前記複数のＷＬＡＮビーコンと同じ周期性で周期的に受信される、請求項１に記載の方法。
【請求項３】
前記第２のラジオを選択的にパワーアップすることは、
設定された前記ワイヤレス局に関連付けられたビットを有する第１のＷＬＡＮビーコンに関するＴＩＭに応答して、前記複数のＷＬＡＮビーコンの第１のＷＬＡＮビーコンを受信するために、前記ワイヤレス局の前記第２のラジオをパワーアップすることを備える、請求項１に記載の方法。
【請求項４】
前記第２のラジオを選択的にパワーアップすることは、
設定されていない前記ワイヤレス局に関連付けられたビットを有する第１のＷＬＡＮビーコンに関するＴＩＭに応答して、前記複数のＷＬＡＮビーコンの第１のＷＬＡＮビーコンを受信するために、前記ワイヤレス局の前記第２のラジオをパワーアップすることを控えることを備える、請求項１に記載の方法。
【請求項５】
第１のＷＬＡＮビーコンに関するＴＩＭの表示を備える信号が、前記ＬＥ通信プロトコルを使用して前記第１のＴＢＴＴの前に受信されていなかったことを決定することに応答して、前記複数のＷＬＡＮビーコンの第１のＷＬＡＮビーコンを受信するために、前記複数のＴＢＴＴの第１のＴＢＴＴにおいて、前記ワイヤレス局の前記第２のラジオをパワーアップすることをさらに備える、請求項１に記載の方法。
【請求項６】
前記複数の第１の信号の各々は、アクセスポイントおよびピアツーピアグループオーナーから成るグループのうちの１つから受信される、請求項１に記載の方法。
【請求項７】
前記アクセスポイントまたは前記ピアツーピアグループオーナーと前記第１のラジオを周期的に同期することをさらに備える、請求項６に記載の方法。
【請求項８】
前記第２のラジオは、前記複数の第１の信号の各々が受信されるとき、スリープ状態にある、請求項１に記載の方法。
【請求項９】
前記ＬＥ通信プロトコルは、Ｂｌｕｅｔｏｏｔｈ  Ｌｏｗ  Ｅｎｅｒｇｙ（ＢＬＥ）を備える、請求項１に記載の方法。
【請求項１０】
ワイヤレス局であって、
複数のワイヤレスローカルエリアネットワーク（ＷＬＡＮ）ビーコンの複数のターゲットビーコンの送信の時間（ＴＢＴＴ）に少なくとも部分的に基づいて、ならびにそれらの前におよびそれらと時間同期して所定の間隔で前記ワイヤレス局の第１のラジオをパワーアップするための手段、
複数の第１の信号を、前記ワイヤレス局の前記第１のラジオを使用して、受信するための手段、前記複数の第１の信号の各々は、前記複数のＴＢＴＴのうちのそれぞれの１つの前に受信され、および前記複数のＷＬＡＮビーコンの後続のＷＬＡＮビーコンに関するトラフィック表示マップ（ＴＩＭ）の表示を備える、ここにおいて、前記複数の第１の信号は、ローエナジー（ＬＥ）通信プロトコルを使用して受信される、および
前記表示に応答して、前記複数のＷＬＡＮビーコンの選択されたＷＬＡＮビーコンを受信するために、前記装置の第２のラジオを選択的にパワーアップするための手段
を備える、ワイヤレス局。
【請求項１１】
前記複数の第１の信号は、前記複数のＷＬＡＮビーコンと同じ周期性で周期的に受信される、請求項１０に記載のワイヤレス局。
【請求項１２】
前記第２のラジオを選択的にパワーアップするための前記手段は、
設定された前記装置に関連付けられたビットを有する第１のＷＬＡＮビーコンに関するＴＩＭに応答して、前記複数のＷＬＡＮビーコンの第１のＷＬＡＮビーコンを受信するために、前記第２のラジオをパワーアップするための手段を備える、請求項１０に記載のワイヤレス局。
【請求項１３】
前記第２のラジオを選択的にパワーアップするための前記手段は、
設定されていない前記装置に関連付けられたビットを有する第１のＷＬＡＮビーコンに関するＴＩＭに応答して、前記複数のＷＬＡＮビーコンの第１のＷＬＡＮビーコンを受信するために、前記第２のラジオをパワーアップすることを控えるための手段を備える、請求項１０に記載のワイヤレス局。
【請求項１４】
第１のＷＬＡＮビーコンに関するＴＩＭの表示を備える信号が、前記ＬＥ通信プロトコルを使用して前記第１のＴＢＴＴの前に受信されていなかったことを決定することに応答して、前記複数のＷＬＡＮビーコンの第１のＷＬＡＮビーコンを受信するために、前記複数のＴＢＴＴの第１のＴＢＴＴにおいて、前記第２のラジオをパワーアップするための手段をさらに備える、請求項１０に記載のワイヤレス局。
【請求項１５】
前記複数の第１の信号の各々は、アクセスポイントおよびピアツーピアグループオーナーから成るグループのうちの１つから受信される、請求項１０に記載のワイヤレス局。
【請求項１６】
前記第２のラジオは、前記複数の第１の信号の各々が受信されるとき、スリープ状態にある、請求項１０に記載のワイヤレス局。
【請求項１７】
ワイヤレス局であって、
複数のＷＬＡＮビーコンの複数のターゲットビーコンの送信の時間（ＴＢＴＴ）に少なくとも部分的に基づいて、ならびにそれらの前におよびそれらと時間同期して所定の間隔でＬＥトランシーバをパワーアップするためのローエナジー（ＬＥ）トランシーバコーディネータ、ここにおいて、前記ＬＥトランシーバは、複数の第１の信号を受信することになる、前記複数の第１の信号の各々は、前記複数のＴＢＴＴのうちのそれぞれの１つの前に受信され、および前記複数のＷＬＡＮビーコンの後続のＷＬＡＮビーコンに関するトラフィック表示マップ（ＴＩＭ）の表示を備える、ここにおいて、前記複数の第１の信号は、ＬＥ通信プロトコルを使用して受信される、および
前記表示に応答して、前記複数のＷＬＡＮビーコンの選択されたＷＬＡＮビーコンを受信するために、ＷＬＡＮトランシーバを選択的にパワーアップするためのＷＬＡＮトランシーバアクティベータ
を備える、ワイヤレス局。
【請求項１８】
前記ＬＥトランシーバは、前記複数のＷＬＡＮビーコンと同じ周期性で周期的に前記複数の第１の信号を受信する、請求項１７に記載のワイヤレス局。
【請求項１９】
前記ＷＬＡＮトランシーバアクティベータは、
設定された前記装置に関連付けられたビットを有する第１のＷＬＡＮビーコンに関するＴＩＭに応答して、前記複数のＷＬＡＮビーコンの第１のＷＬＡＮビーコンを受信するために、前記ＷＬＡＮトランシーバをパワーアップする、請求項１７に記載のワイヤレス局。
【請求項２０】
前記ＷＬＡＮトランシーバアクティベータは、
設定されていない前記装置に関連付けられたビットを有する第１のＷＬＡＮビーコンに関するＴＩＭに応答して、前記複数のＷＬＡＮビーコンの第１のＷＬＡＮビーコンを受信するために、前記ＷＬＡＮトランシーバをパワーアップすることを控える、請求項１７に記載のワイヤレス局。
【請求項２１】
前記ＷＬＡＮトランシーバアクティベータは、
前記複数のＴＢＴＴの第１のＴＢＴＴにおいて、第１のＷＬＡＮビーコンに関するＴＩＭの表示を備える信号が、前記ＬＥ通信プロトコルを使用して前記第１のＴＢＴＴの前に前記ＬＥトランシーバによって受信されていなかったことを決定することに応答して、前記複数のＷＬＡＮビーコンの第１のＷＬＡＮビーコンを受信するためのものである、請求項１７に記載のワイヤレス局。
【請求項２２】
前記複数の第１の信号の各々は、アクセスポイントおよびピアツーピアグループオーナーから成るグループのうちの１つから受信される、請求項１７に記載のワイヤレス局。
【請求項２３】
前記ＷＬＡＮトランシーバは、前記複数の第１の信号の各々が受信されるとき、スリープ状態にある、請求項１７に記載のワイヤレス局。
【請求項２４】
ワイヤレス通信のためのコンピュータ実行可能コードを記憶する非一時的コンピュータ可読媒体であって、前記コードは、プロセッサによって、ワイヤレス局に、
複数のワイヤレスローカルエリアネットワーク（ＷＬＡＮ）ビーコンの複数のターゲットビーコンの送信の時間（ＴＢＴＴ）に少なくとも部分的に基づいて、ならびにそれらの前におよびそれらと時間同期して所定の間隔で前記ワイヤレス局の第１のラジオをパワーアップすること、
複数の第１の信号を、前記ワイヤレス局の前記第１のラジオを使用して、受信すること、前記複数の第１の信号の各々は、前記複数のＴＢＴＴのうちのそれぞれの１つの前に受信され、および前記複数のＷＬＡＮビーコンの後続のＷＬＡＮビーコンに関するトラフィック表示マップ（ＴＩＭ）の表示を備える、ここにおいて、前記複数の第１の信号は、ローエナジー（ＬＥ）通信プロトコルを使用して受信される、および
前記表示に応答して、前記複数のＷＬＡＮビーコンの選択されたＷＬＡＮビーコンを受信するために、前記ワイヤレス局の第２のラジオを選択的にパワーアップすること
を行わせることを実行可能である、非一時的コンピュータ可読媒体。
【請求項２５】
前記コードは、前記プロセッサによって、前記ワイヤレス局に、
設定された前記ワイヤレス局に関連付けられたビットを有する第１のＷＬＡＮビーコンに関するＴＩＭに応答して、前記複数のＷＬＡＮビーコンの第１のＷＬＡＮビーコンを受信するために、前記ワイヤレス局の前記第２のラジオをパワーアップすること
を行わせることをさらに実行可能である、請求項２４に記載の非一時的コンピュータ可読媒体。
【請求項２６】
前記コードは、前記プロセッサによって、前記ワイヤレス局に、
設定されていない前記ワイヤレス局に関連付けられたビットを有する第１のＷＬＡＮビーコンに関するＴＩＭに応答して、前記複数のＷＬＡＮビーコンの第１のＷＬＡＮビーコンを受信するために、前記ワイヤレス局の前記第２のラジオをパワーアップすることを控えること
を行わせることをさらに実行可能である、請求項２４に記載の非一時的コンピュータ可読媒体。
【発明の詳細な説明】
【相互参照】
【０００１】
[0001]  本特許出願は、「Power Management for WLAN Client Devices Using Low Energy Signaling」と題され、２０１４年９月３日付で出願された、およびこの譲受人に譲渡された、Ｐｕｊａｒｉ他による米国特許出願第１４／４７６、４７８号に基づく優先権を主張する。
【技術分野】
【０００２】
[0002]  本開示は、たとえば、ワイヤレス通信システム、さらに特には、基地局またはアクセスポイント（ＡＰ）からビーコンを受信するために、モバイルデバイスまたはワイヤレス局（ＳＴＡ）の電力消費を、ＳＴＡの受信機を選択的にパワーアップ（powering up）することによって、低減する（reducing）ための技法に関する。
【背景技術】
【０００３】
[0003]  ワイヤレス通信システムは、音声、ビデオ、パケットデータ、メッセージング、ブロードキャスト等のような、様々なタイプの通信コンテンツを提供するように広く展開されている。これらのシステムは、利用可能なシステムリソース（たとえば、時間、周波数、および電力）を共有することによって多数のユーザとの通信をサポートする能力がある（capable of）多元接続システム（multiple-access system）であり得る。ワイヤレスネットワーク、たとえば、Ｗｉ−Ｆｉネットワーク（ＩＥＥＥ８０２．１１）のようなワイヤレスローカルエリアネットワーク（ＷＬＡＮ：Wireless Local Area Network）は、１つまたは複数のＳＴＡ（たとえば、モバイルデバイスまたはクライアントデバイス）と通信し得るＡＰを含み得る。ＡＰは、インターネットのようなネットワークに結合され得、およびモバイルデバイスがネットワークを介して通信すること（および／またはＡＰに結合された他のデバイスと通信すること）を可能にする。
【０００４】
[0004]  ワイヤレス技術が進歩し、より普及するようになるにつれ、ＳＴＡへの持続的な接続性の要求（demand for continuous connectivity for STAs）が、増加している。技術、たとえば、ＩＥＥＥ８０２．１１規格（たとえば、Ｗｉ−ＦｉおよびＷｉ−Ｆｉダイレクトまたはピアツーピア（Ｐ２Ｐ）ネットワークのようなＷＬＡＮ）をインプリメントすることは、この要求に対処する（address）ために使用されてきた。しかしながら、より高い接続性のレートでは、ＷＬＡＮ構成されたＳＴＡの電力または電池消費は、大いに増加する。この問題を軽減する（mitigate）ために、ＷＬＡＮ  ＳＴＡは、一時の間、スリープするかまたはアイドルになり得、そして、ＡＰからビーコンを受信するために、一定の間隔で、ウェイクアップし（wake up）得、それは、さらに、ＳＴＡに、ＡＰからの保留中のデータ送信（pending data transmission）のためにアウェイクであり続ける（stay awake）かどうかを表示し（indicate）得る。たとえば、ビーコンは、ＡＰが、トラフィック表示マップ（ＴＩＭ：traffic indication map）情報要素（ＩＥ：information element）におけるような、ＳＴＡに送信するための１つまたは複数のパケットを有するかどうかを示す表示（indication）を含み得る。ビーコンサイズが増加する（increases）につれて、ＳＴＡがビーコンを受信するためにアウェイクのままである（remains awake）間の時間の量も増加する。ウェイクアップの時間の増加は、ＳＴＡによって増加された電力消費と一致し（equate to）得、結果として、低下した（decreased）電池寿命およびユーザエクスペリエンスをもたらす。
【０００５】
[0005]  追加的に、ビーコンを受信するためにＳＴＡがアウェイクのままである間の時間は、混雑したワイヤレス環境によって影響され得る。混雑した環境は、ビーコンドリフトを引き起こし得る、つまり（meaning）、ＡＰのターゲットビーコンの送信の時間（ＴＢＴＴ：target beacon transmission time）は、（たとえば、ＷＬＡＮにおいてインプリメントされる搬送波感知多重アクセス／衝突回避方式（ＣＳＭＡ／ＣＡ：carrier sense multiple access with collision avoidance）技術に起因して）一定（constant）ではない可能性がある。ビーコンドリフトは、さらに、ＳＴＡに、ビーコンを受信するために、早くまたは遅くのいずれかでウェイクアップさせ得、結果として、ビーコンを受信するためにより長いウェイクアップの時間、およびＳＴＡによって増加した電力消費、またはビーコンを受信することの失敗をもたらす。
【発明の概要】
【０００６】
[0006]  説明された特徴は、一般に、ビーコンの送信の前に、ビーコンが、アクセスポイント（ＡＰ）またはピアツーピアグループオーナー（Ｐ２Ｐ  ＧＯ：peer-to-peer group owner）がＳＴＡに送信するためのデータを有することをさらに表示するかどうかをワイヤレス局（ＳＴＡ）に表示するためのローエナジー（ＬＥ）シグナリング（low energy (LE) signaling）を使用するための、１つまたは複数の改善されたシステム、方法、および／または装置に関する。いくつかの態様において、ＳＴＡは、まず第一に、ＡＰとのワイヤレスローカルエリアネットワーク（ＷＬＡＮ）接続を確立し得、それは、設定された（set）または事前構成された（preconfigured）ビーコン間隔の時間（たとえば、１００ｍｓ）を含み得る。ＳＴＡおよびＡＰの両方が、ＬＥ通信をサポートする能力がある場合（たとえば、Ｂｌｕｅｔｏｏｔｈ（登録商標）  ＬＥ（ＢＬＥ）または他のＬＥ／アンライセンススペクトル通信技術）、ＳＴＡおよびＡＰは、ＬＥ接続を確立し得る。各ビーコンを送信することの前に、ＡＰは、ＳＴＡに、ＡＰがＳＴＡへの保留中のデータを有するかどうかを示すＬＥ表示を送信し得る。ＬＥシグナリングがＡＰがＳＴＡに送るためのデータを有することを表示する場合、ＳＴＡは、ビーコンを受信するために、後続のビーコン間隔の間、ウェイクアップし得る。しかしながら、ＬＥ表示がＡＰがＳＴＡに送るためのデータを有しないことを表示する場合、ＳＴＡは、後続のビーコンに対して、アイドルまたはスリープモードのままであり得る。このように、ＳＴＡは、対応するビーコンがＡＰがＳＴＡに送るためのデータを有することを表示するときだけ、ビーコンのウェイクアップの時間期間の間、パワーアップすることによって、電力を節約し得る。
【０００７】
[0007]  一態様において、ワイヤレス通信の方法は、ＳＴＡの第１のラジオがＬＥ通信プロトコルをインプリメントすることによって、ＷＬＡＮビーコンのトラフィック表示マップ（ＴＩＭ）の表示を含む第１の信号を受信することを含み得る。方法はまた、表示に応答して、ＷＬＡＮビーコンを受信するために、ワイヤレスＳＴＡの第２のラジオを選択的にパワーアップすることを含む。いくつかの場合において、ＬＥ通信プロトコルは、ＢＬＥプロトコルを含み得る。
【０００８】
[0008]  一態様において、第１の信号は、アクセスポイントまたはＰ２Ｐ  ＧＯから受信され得る。いくつかの場合において、第１の信号を受信することは、ＷＬＡＮビーコンのターゲットビーコンの送信の時間（ＴＢＴＴ）の前に所定の間隔で第１のラジオをパワーアップすることを含み得る。第１の信号は、ＷＬＡＮビーコンと同じ周期性で周期的に受信され得る。
【０００９】
[0009]  いくつかの例において、第２のラジオを選択的にパワーアップすることは、ＷＬＡＮビーコンのＴＩＭにおけるワイヤレスＳＴＡに関連付けられたビットが設定されていることを表示する第１の信号に応答して、ＷＬＡＮビーコンを受信するために、第２のラジオをパワーアップすることを含み得る。いくつかの場合において、第２のラジオを選択的にパワーアップすることは、ＷＬＡＮビーコンのＴＩＭにおけるワイヤレスＳＴＡに関連付けられたビットが設定されていないことを表示する第１の信号に応答して、第２のラジオをパワーアップすることを控える（refraining from）ことを含み得る。一態様において、方法は、第２のＷＬＡＮビーコンの第２のＴＩＭの第２の表示を含む第２の信号が、ＬＥ通信プロトコルを介して受信されていなかったことを決定することに応答して、第２のＷＬＡＮビーコンを受信するために、ワイヤレス局の第２のラジオをパワーアップすることを追加的に含み得る。
【００１０】
[0010]  いくつかのインプリメンテーションにおいて、方法は、ＡＰまたはＰ２Ｐ  ＧＯと第１のラジオを周期的に同期させることをさらに含み得る。いくつかの場合において、第２のラジオは、第１の信号が受信されるとき、スリープ状態（in a sleep state）にあり得る。
【００１１】
[0011]  一態様において、ワイヤレス通信に関する装置は、ＷＬＡＮビーコンのＴＩＭの表示を含む第１の信号を、ＬＥ通信プロトコルをインプリメントする装置の第１のラジオを使用して、受信するための手段、および、表示に応答して、ＷＬＡＮビーコンを受信するために、装置の第２のラジオを選択的にパワーアップするための手段を含み得る。いくつかの場合において、第１の信号は、アクセスポイントまたはＰ２Ｐ  ＧＯから受信され得る。第１の信号を受信することは、ＷＬＡＮビーコンのＴＢＴＴの前に所定の間隔で第１のラジオをパワーアップすることを含み得る。第１の信号は、ＷＬＡＮビーコンと同じ周期性で周期的に受信され得る。
【００１２】
[0012]  いくつかの例において、第２のラジオを選択的にパワーアップするための手段は、ＷＬＡＮビーコンのＴＩＭにおけるワイヤレスＳＴＡに関連付けられたビットが設定されていることを表示する第１の信号に応答して、ＷＬＡＮビーコンを受信するために、第２のラジオをパワーアップするための手段を含み得る。いくつかの場合において、第２のラジオを選択的にパワーアップするための手段は、ＷＬＡＮビーコンのＴＩＭにおけるワイヤレスＳＴＡに関連付けられたビットが設定されていないことを表示する第１の信号に応答して、第２のラジオをパワーアップすることを控えるための手段を含み得る。一態様において、装置は、第２のＷＬＡＮビーコンの第２のＴＩＭの第２の表示を含む第２の信号が、ＬＥ通信プロトコルを介して受信されていなかったことを決定することに応答して、第２のＷＬＡＮビーコンを受信するために、ワイヤレス局の第２のラジオをパワーアップするための手段を追加的に含み得る。
【００１３】
[0013]  いくつかのインプリメンテーションにおいて、装置は、ＡＰまたはＰ２Ｐ  ＧＯと第１のラジオを周期的に同期させるための手段をさらに含み得る。いくつかの場合において、第２のラジオは、第１の信号が受信されるとき、スリープ状態にあり得る。
【００１４】
[0014]  一態様において、ワイヤレス通信に関する装置は、ＬＥ通信プロトコルを使用して第１の信号を受信するためのＬＥトランシーバを含み得、第１の信号は、ＷＬＡＮビーコンのＴＩＭの表示を含む。装置は、表示に応答して、ＷＬＡＮビーコンを受信するために、ＷＬＡＮトランシーバを選択的にパワーアップするためのＷＬＡＮトランシーバアクティベータ（activator）をさらに含む。いくつかの場合において、アクセスポイントまたはＰ２Ｐ  ＧＯから第１の信号は、受信され得る。いくつかの例において、ＬＥトランシーバは、ＷＬＡＮビーコンと同じ周期性で周期的に第１の信号を受信し得る。
【００１５】
[0015]  いくつかの場合において、ＷＬＡＮトランシーバは、ＷＬＡＮビーコンのＴＢＴＴの前に所定の間隔でＬＥトランシーバをパワーアップするためのＬＥトランシーバコーディネータ（coordinator）を含み得る。
【００１６】
[0016]  いくつかの例において、ＷＬＡＮトランシーバアクティベータは、ＷＬＡＮビーコンのＴＩＭにおける装置に関連付けられたビットが設定されていることを表示する第１の信号に応答して、ＷＬＡＮビーコンを受信するために、ＷＬＡＮトランシーバをパワーアップし得る。いくつかの場合において、ＷＬＡＮトランシーバアクティベータは、ＷＬＡＮビーコンのＴＩＭにおける装置に関連付けられたビットが設定されていないことを表示する第１の信号に応答して、ＷＬＡＮトランシーバをパワーアップすることを控え得る。一態様において、ＷＬＡＮトランシーバアクティベータは、第２のＷＬＡＮビーコンの第２のＴＩＭの第２の表示を含む第２の信号が、ＬＥ通信プロトコルを使用してＬＥトランシーバによって受信されていなかったことを決定することに応答して、第２のＷＬＡＮビーコンを受信するために、ＷＬＡＮトランシーバをパワーアップし得る。
【００１７】
[0017]  いくつかのインプリメンテーションにおいて、装置は、ＡＰまたはＰ２Ｐ  ＧＯとＬＥトランシーバを周期的に同期させるためのＬＥトランシーバ同期コントローラをさらに含み得る。いくつかの場合において、ＷＬＡＮトランシーバは、第１の信号が受信されるとき、スリープ状態にあり得る。
【００１８】
[0018]  一態様において、非一時的コンピュータ可読媒体は、ワイヤレス通信のためのコンピュータ実行可能コードを記憶し得、コードは、プロセッサによって、ＷＬＡＮビーコンのＴＩＭの表示を含む第１の信号を受信すること、および、表示に応答して、ＷＬＡＮビーコンを、ＬＥ通信プロトコルを介してワイヤレスＳＴＡ第１のラジオを使用して、受信するために、ワイヤレスＳＴＡの第２のラジオを選択的にパワーアップすることを実行可能である。いくつかの場合において、第１の信号は、アクセスポイントまたはＰ２Ｐ  ＧＯから受信され得る。第１の信号は、ＷＬＡＮビーコンと同じ周期性で周期的に受信され得る。いくつかの例において、コードは、プロセッサによって、ＷＬＡＮビーコンのＴＢＴＴの前に所定の間隔で第１のラジオをパワーアップすることをさらに実行可能であり得る。
【００１９】
[0019]  いくつかの例において、コードは、プロセッサによって、ＷＬＡＮビーコンのＴＩＭにおけるワイヤレスＳＴＡに関連付けられたビットが設定されていることを表示する第１の信号に応答して、ＷＬＡＮビーコンを受信するために、第２のラジオをパワーアップすることをさらに実行可能であり得る。いくつかの場合において、コードは、プロセッサによって、ＷＬＡＮビーコンのＴＩＭにおけるワイヤレスＳＴＡに関連付けられたビットが設定されていないことを表示する第１の信号に応答して、第２のラジオをパワーアップすることを控えることをさらに実行可能であり得る。一態様において、コードは、プロセッサによって、第２のＷＬＡＮビーコンの第２のＴＩＭの第２の表示を含む第２の信号が、ＬＥ通信プロトコルを介して受信されていなかったことを決定することに応答して、第２のＷＬＡＮビーコンを受信するために、ワイヤレス局の第２のラジオをパワーアップすることをさらに実行可能であり得る。
【００２０】
[0020]  いくつかのインプリメンテーションにおいて、コードは、プロセッサによって、ＡＰまたはＰ２Ｐ  ＧＯと第１のラジオを周期的に同期させることをさらに実行可能であり得る。いくつかの場合において、第２のラジオは、第１の信号が受信されるとき、スリープ状態にあり得る。
【００２１】
[0021]  前述は、以下の詳細な説明がより良く理解され得るように、本開示による例の特徴および技術的利点をいくぶん広く概説している。追加の特徴および利点が下記に説明される。開示される概念および特定の例は、本開示と同じ目的を実現（carrying out）するための他の構造を修正または設計するための基礎として容易に利用され得る。このような等価な構造（construction）は、添付の特許請求の範囲の範囲から逸脱しない。本明細書で開示される概念の特性（characteristics）、それらの編成および動作の方法の両方は、関連する利点とともに、添付の図に関連して検討されたときに以下の説明からより良く理解されるであろう。図の各々は、例示（illustration）および説明のみを目的として提供され、特許請求の範囲の限定の定義としては提供されない。
【００２２】
[0022]  本発明の性質および利点のさらなる理解が、以下の図面を参照することによって実現され得る。添付された図において、同様のコンポーネントまたは特徴は、同じ参照ラベルを有し得る。さらに、同じタイプの様々なコンポーネントは、参照ラベルにダッシュおよび同様のコンポーネント間を区別する第２のラベルを後続させることによって区別され得る。本明細書中で第１の参照ラベルのみが使用される場合、その説明は、第２の参照ラベルに関係なく同じ第１の参照ラベルを有する同様のコンポーネントのいずれか１つに適用可能である。
【図面の簡単な説明】
【００２３】
【図１】[0023]  図１は、本開示の様々な態様に従って、ワイヤレス通信システムのブロック図を示す。
【図２】[0024]  図２は、本開示の様々な態様に従って、ワイヤレス局およびアクセスポイントを含むワイヤレス通信システムのブロック図を示す。
【図３Ａ】[0025]  図３Ａは、本開示の様々な態様に従って、アクセスポイントからワイヤレス局へのビーコンの通信のタイミングブロック図を示す。
【図３Ｂ】図３Ｂは、本開示の様々な態様に従って、アクセスポイントからワイヤレス局へのビーコンの通信のタイミングブロック図を示す。
【図４Ａ】[0026]  図４Ａは、本開示の様々な態様に従って、各々２つのラジオを利用するアクセスポイントと局の間の通信のフローブロック図を示す。
【図４Ｂ】図４Ｂは、本開示の様々な態様に従って、各々２つのラジオを利用するアクセスポイントと局の間の通信のフローブロック図を示す。
【図５】[0027]  図５は、本開示の様々な態様に従って、ワイヤレス通信における使用のために構成されたデバイスのブロック図を示す。
【図６】[0028]  図６は、本開示の様々な態様に従って、ワイヤレス通信における使用のために構成された別のデバイスのブロック図を示す。
【図７】[0029]  図７は、本開示の様々な態様に従って、ワイヤレス通信における使用のためのワイヤレス局のブロック図を示す。
【図８】[0030]  図８は、本開示の様々な態様に従って、ワイヤレス通信のための方法の例を例示するフローチャートである。
【図９】図９は、本開示の様々な態様に従って、ワイヤレス通信のための方法の例を例示するフローチャートである。
【図１０】図１０は、本開示の様々な態様に従って、ワイヤレス通信のための方法の例を例示するフローチャートである。
【詳細な説明】
【００２４】
[0031]  説明された特徴は、一般に、ビーコンの送信の前に、ビーコンが、ＡＰまたはピアツーピアグループオーナー（Ｐ２Ｐ  ＧＯ）がＳＴＡに送信するための１つまたは複数のパケットを有することをさらに表示するかどうかをＳＴＡに表示するためのローエナジー（ＬＥ）シグナリングを使用するための、１つまたは複数の改善されたシステム、方法、および／または装置に関する。一態様において、ＬＥシグナリングは、Ｂｌｕｅｔｏｏｔｈ  Ｌｏｗ  Ｅｎｅｒｇｙ（ＢＬＥ）、または、他の同様のＬＥ／アンライセンススペクトル通信技術を介して、ＡＰによって、表示を送ることを含み得る。いくつかの態様において、ＳＴＡは、まず第一に、ＡＰとのＷＬＡＮ接続を確立し得る。ＷＬＡＮ接続は、設定されたまたは事前構成されたビーコン間隔の時間（たとえば、１００ｍｓ）を含み得る。ＳＴＡおよびＡＰの両方が、ＬＥ通信をサポートする能力がある場合、ＳＴＡおよびＡＰは、ＢＬＥまたは他のＬＥ接続を確立し得る。各ビーコンを送信することの前に、ＡＰは、ＳＴＡに、ＡＰがＳＴＡへの保留中のデータを有するかどうかを示すＬＥ表示を送信し得る。
【００２５】
[0032]  このように、ＳＴＡは、ＬＥのウェイクアップの時間の間、ＬＥ表示を受信するためにパワーアップし（power-up）得る。ＬＥのウェイクアップの時間は、ビーコンのウェイクアップの時間期間より有意に（significantly）短い時間期間であり得、ＬＥ表示を受信するためにＳＴＡによって消費された（expended）電力は、結果として、実質的に、フル（full）ビーコンを受信するために必要とされる（required）電力より低くあり得る。ＬＥシグナリングまたは表示は、ＡＰが、ＳＴＡに送るためのデータを有することを表示する（たとえば、ＳＴＡに対応するビーコンのトラフィック表示マップ（ＴＩＭ）情報要素（ＩＥ）が、１に設定される）場合、ＳＴＡは、ビーコンを受信するために、後続のビーコン間隔の間、ウェイクアップし得る。しかしながら、ＬＥ表示がＡＰがＳＴＡに送るためのデータを有しないことを表示する場合（たとえば、０に設定されたビーコンのＴＩＭ  ＩＥ）、ＳＴＡは、後続のビーコンに対して、アイドルまたはスリープモードのままであり得る。
【００２６】
[0033]  ＳＴＡは、ＬＥ表示を受信している間、ＷＬＡＮアイドルモード（WLAN idle mode）であり続け得る。ＳＴＡが、ビーコン間隔の間、ＬＥ表示を何も受信しない場合（たとえば、ＬＥ表示の受信の失敗）、ＳＴＡは、そのビーコン間隔の間、ウェイクアップし得、およびＡＰから保留中の送信を受信することにおいて遅延がないことを確実にする（ensure）ために、関連付けられたビーコンを受信し得る。
【００２７】
[0034]  次の説明は、例を提供し、特許請求の範囲において記載された範囲、適用性、または例を制限していない。変更が、本開示の範囲から逸脱することなく、説明される要素の機能および配置において行われ得る。様々な例は、適宜、様々なプロシージャまたはコンポーネントを省略、代用、あるいは追加し得る。たとえば、説明される方法は、説明されるものとは異なる順序で行われ得、様々なステップは、追加、省略、または組み合わされ得る。また、いくつかの例に関して説明される特徴は、他の例において組み合され得る。
【００２８】
[0035]  まず第一に、図１を参照すると、ブロック図は、たとえば、ＩＥＥＥ８０２．１１規格ファミリーのうちの少なくとも１つをインプリメントするネットワークのような、ＷＬＡＮ１００の例を例示する。ＷＬＡＮ１００は、モバイル局、携帯情報端末（ＰＤＡ）、他のハンドヘルドデバイス、ネットブック、ノートブックコンピュータ、タブレットコンピュータ、ラップトップ、ディスプレイデバイス（たとえば、ＴＶ、コンピュータモニタ等）、プリンタ等のような、アクセスポイント（ＡＰ）１０５および１つまたは複数のワイヤレスデバイス、または、局（ＳＴＡ）１１０を含み得る。１つのＡＰ１０５のみが例示されている一方で、ＷＬＡＮ１００は、多数の（multiple）ＡＰ１０５を有し得る。ワイヤレスＳＴＡ１１０の各々、それはまた、モバイル局（ＭＳ）、モバイルデバイス、アクセス端末（ＡＴ）、ユーザ機器（ＵＥ）、加入者局（ＳＳ）、クライアントデバイス、または、加入者ユニットと呼ばれ得るが、通信リンク１１５を介して、ＡＰ１０５と関連付けおよび通信し得る。各ＡＰ１０５は、そのエリア内のＳＴＡ１１０が、主として（typically）ＡＰ１０５と通信できるような地理的なカバレッジエリア１２５を有する。ＳＴＡ１１０は、地理的なカバレッジエリア１２５の至る所で散り散りになり（dispersed throughout）得る。各ＳＴＡ１１０は、固定されている（stationary）か、または、移動式（mobile）であり得る。
【００２９】
[0036]  図１には示されていないが、ＳＴＡ１１０は、２つ以上のＡＰ１０５の範囲内にあることができ、および、それ故、異なった時間で１つまたは複数のＡＰ１０５と関連付けることができる。単一のＡＰ１０５およびＳＴＡの関連付けられたセットは、基本サービスセット（ＢＳＳ）と呼ばれ得る。拡張サービスセット（ＥＳＳ：extended service set）は、接続されたＢＳＳのセットである。分散システム（ＤＳ：distribution system）（図示せず）は、拡張サービスセットにおけるＡＰ１０５に接続するために使用される。基地局１０５のための地理的カバレッジエリア１２５は、カバレッジエリア（図示せず）の一部のみを構成する（making up）セクタに分割され得る。ＷＬＡＮ１００は、異なる技術に対して（for different technologies）さまざまなサイズのカバレッジエリアおよびオーバーラップする（overlapping）カバレッジエリアを持つ異なるタイプのＡＰ１０５（たとえば、大都市地域、ホームエリア等）を含み得る。図示されていないが、他のワイヤレスデバイスは、ＡＰ１０５と通信できる。
【００３０】
[0037]  ＳＴＡ１１０が、通信リンク１１５を使用して、ＡＰ１０５を通じて、互いに通信し得る一方で、各ＳＴＡ１１０はまた、ダイレクトワイヤレスリンク１２０を介して、１つまたは複数の他のＳＴＡ１１０と直接に通信し得る。２つ以上のＳＴＡ１１０は、両方のＳＴＡ１１０が、ＡＰの地理的なカバレッジエリア１２５にあるとき、または、１つのＳＴＡ１１０が、ＡＰの地理的なカバレッジエリア１２５（図示せず）にあるか、またはどちらのＳＴＡ１１０も、ＡＰの地理的なカバレッジエリア１２５にないとき、ダイレクトワイヤレスリンク１２０を介して通信し得る。ダイレクトワイヤレスリンク１２０の例は、Ｗｉ−Ｆｉダイレクト接続、Ｗｉ−Ｆｉトンネルダイレクトリンクセットアップ（ＴＤＬＳ：Tunneled Direct Link Setup）リンクを使用することによって確立された接続、および他のピアツーピア（Ｐ２Ｐ）グループ接続を含み得る。たとえば、第１のＳＴＡ１１０は、ダイレクトワイヤレスリンク１２０を介して、第２のＳＴＡ１１０にサービスを提供するために、グループオーナー（ＧＯ：group owner）しての役割を果たし得る（act as）。この状況では、第１のＳＴＡ１１０は、第２のＳＴＡ１１０に対してＡＰ１０５と同様に機能し得る。これらの例におけるＳＴＡ１１０は、ＩＥＥＥ８０２．１１、および、８０２．１１ｂ、８０２．１１ｇ、８０２．１１ａ、８０２．１１ｎ、８０２．１１ａｃ、８０２．１１ａｄ、８０２．１１ａｈ等を含むが、それらに制限されない、それの様々なバージョンからの物理およびＭＡＣレイヤを含むベースバンドプロトコルおよびＷＬＡＮラジオに従って通信し得る。他のインプリメンテーションにおいて、他のピアツーピア接続および／またはアドホック（ad hoc）ネットワークは、ＷＬＡＮ１００内でインプリメントされ得る。
【００３１】
[0038]  いくつかの場合において、ＳＴＡ１１０が、ＡＰ１０５との接続または通信リンク１１５を確立する後に、ＡＰ１０５および／またはＳＴＡ１１０は、時間のさまざまな期間（for varying periods of time）の間、その他のデバイスと通信する何のデータも有さない可能性がある。これらの状況では、ＳＴＡ１１０は、たとえば、ＳＴＡ１１０の１つまたは複数の受信機などの、ＳＴＡ１１０の様々な態様が一時的にパワーダウンされるアイドルモードまたはスリープ状態に入り得る。ＡＰ１０５は、周期的に（たとえば、毎１００ｍｓ）ビーコンを送信し得、それは、ＡＰ１０５が、ＳＴＡ１１０に送信するための何らかのデータを有するかどうかを表示し得る。ＳＴＡ１１０との通信リンク１１５を確立させる際に、ＡＰ１０５は、ＳＴＡ１１０と、ビーコン間隔、各ビーコンの長さ等を含むビーコン情報を通信し得る。ビーコン情報は、次いで、ＳＴＡ１１０が、指定された時間／間隔でＡＰ１０５からビーコンを受信するために、ＷＬＡＮ受信機をウェイクアップすることを可能にする。
【００３２】
[0039]  ＡＰからの各ビーコンに関してＳＴＡ１１０のＷＬＡＮ受信機をウェイクアップするための処理は、電力を消費し得、通信リソースを占有し（occupy）得、および／または、ＳＴＡ１１０の他の通信（たとえば、Ｂｌｕｅｔｏｏｔｈ、ＬＴＥ（登録商標）等をインプリメントすること）との干渉を引き起こし得る。これは、特に、ＡＰ１０５が、時間の延長された期間（extended periods of time）の間、ＳＴＡ１１０に送信するためのデータを有さない場合であり、よって、ＡＰ１０５において何の保留中のデータもなく、ＳＴＡ１１０がすべてのビーコン間隔をウェイクアップすることを必要とする場合であり得る。
【００３３】
[0040]  上述された課題および他のもののうちの１つまたは複数に対処するために、ＡＰ１０５およびＳＴＡ１１０は、後続のビーコンが、ＡＰ１０５がＳＴＡ１１０に送信するためのデータを有することを表示するかどうかを表示するために、ＷＬＡＮビーコンの直前に送られる、ローエナジー（ＬＥ）シグナリングを利用し得る。ＬＥシグナリングは、ＢＬＥトランシーバ、または、ＳＴＡ１１０およびＡＰ１０５のラジオを介して通信されるＢｌｕｅｔｏｏｔｈ  ＬＥ（ＢＬＥ）シグナリングを含み得る。いくつかの態様において、ＬＥシグナリングは、他のＬＥ／アンライセンススペクトル通信技術を介して、インプリメントされ得る。このように、ＳＴＡ１１０は、ＳＴＡ１１０が、ＡＰ１０５から保留中のデータを受信するためにそれのＷＬＡＮラジオをウェイクアップするべきかどうかを決定するために、ＷＬＡＮビーコン間隔の前に、ＬＥのウェイクアップの時間期間の間、ＬＥラジオ、それは、ＷＬＡＮラジオよりも短くあり得、およびそれよりも有意に少ない電力を必要とし得る、をウェイクアップし得る。
【００３４】
[0041]  次に図２を参照すると、ブロック図は、ＡＰ１０５−ａおよびＳＴＡ１１０−ａを含むＷＬＡＮ２００の例を例示する。ＷＬＡＮ２００は、図１に関連して説明されるＷＬＡＮ１００の例であり得る。追加的に、ＡＰ１０５−ａおよびＳＴＡ１１０−ａは、図１に関連して同様に説明されるＡＰ１０５および／またはＳＴＡ１１０の１つまたは複数の態様の例であり得る。いくつかの場合において、ＡＰ１０５−ａは、ソフトＡＰまたはＰ２Ｐ  ＧＯであり得る。ＡＰ１０５−ａは、２つ以上のラジオ、たとえば、ＷＬＡＮ（たとえば、Ｗｉ−Ｆｉ）ラジオ２１５およびＬＥラジオ２２０を含み得る。同様に、ＳＴＡ１１０−ａは、ＷＬＡＮラジオ２０５およびＬＥラジオ２１０のような２つ以上のラジオを含み得る。いくつかのインプリメンテーションにおいて、ＬＥラジオ２２０および／またはＬＥラジオ２１０は、各々、Ｂｌｕｅｔｏｏｔｈ  ＬＥ（ＢＬＥ）通信プロトコルをサポートし得る。
【００３５】
[0042]  いくつかの態様において、ＳＴＡ１１０−ａは、ＡＰ１０５−ａとＷＬＡＮ通信リンク２２５を確立し得る。ＷＬＡＮ通信リンク２２５は、通信リンク１１５−ａの部分または全てであり得る。ＷＬＡＮ通信リンク２２５は、ＳＴＡ１１０−ａのＷＬＡＮラジオ２０５およびＡＰ１０５−ａのＷＬＡＮラジオ２１５の間にあり得る。ＡＰ１０５−ａは、ＷＬＡＮ通信リンク２２５（たとえば、ダウンリンク上で）を介してＳＴＡ１１０−ａにデータを通信し得、およびＳＴＡ１１０−ａは、ＷＬＡＮ通信リンク２２５（たとえば、アップリンク上で）を介して、同様にＡＰにデータを通信し得る。ＷＬＡＮ通信リンク２２５の確立の際、ＡＰは、ＳＴＡ１１０−ａにビーコン情報を送信し得る。ビーコン情報は、ビーコン間隔情報、ビーコン長さ情報、アイドルモードへ入るための遅延時間等を含み得る。
【００３６】
[0043]  いくつかの場合において、ＳＴＡ１１０−ａは、ある特定の時間期間の間、ＡＰ１０５−ａから何のデータも受信しない可能性がある。この通信の不在に基づいて、ＳＴＡ１１０−ａは、ＡＰ１０５−ａが、ＳＴＡ１１０−ａに送信するための何のデータも有さないことを推量し（infer）、スリープまたはアイドルモードに入り得、それによって、ＷＬＡＮラジオ２０５をオフにする（turning off）。
【００３７】
[0044]  周期的に、ＡＰ１０５−ａは、ＷＬＡＮ通信リンク２２５を介して、ＳＴＡ１１０−ａにビーコンをＷＬＡＮラジオ２１５を介して、送信し得る。ビーコンは、ＡＰ１０５−ａがＳＴＡ１１０−ａに送信するための保留中のデータを有するかどうかを示す表示を含み得る。ＳＴＡ１１０−ａは、（たとえば、ＷＬＡＮ通信リンク２２５の確立の際、ＡＰ１０５−ａから受信されたビーコン情報によって特定される）特定の間隔で、ＡＰ１０５−ａからビーコンを受信するために、ＷＬＡＮラジオ２０５をウェイクアップし得る。ＷＬＡＮラジオ２０５を周期的にウェイクアップすることは、特に、たとえば、ＡＰ１０５−ａが時間の延長された期間の間、ＳＴＡ１１０−ａに送るためのデータを有しないとき、ＳＴＡ１１０−ａにおいて、多量の（large amounts of）電力を消費し得る。
【００３８】
[0045]  いくつかの例において、ＳＴＡ１１０−ａおよび／またはＡＰ１０５−ａはまた、各々、ＢｌｕｅｔｏｏｔｈラジオのようなＬＥラジオ２１０、２２０を有し得、それは、ＢＬＥ通信プロトコルまたは他の同様のＬＥプロトコルを介して通信をサポートし得る。この状況では、ＡＰ１０５−ａおよびＳＴＡ１１０−ａは、ＬＥラジオ２１０および２２０を介してＬＥ通信リンク２３０を確立し得る。一旦、ＬＥ通信リンク２３０が確立されると、ＡＰ１０５−ａは、後続するＷＬＡＮビーコンのＴＩＭビットが、ＡＰ１０５−ａがＳＴＡ１１０−ａに送るためのデータを有することを表示するかどうかを示す表示を含むＬＥメッセージを送信し得る。ＡＰ１０５−ａは、各ＷＬＡＮビーコンを送る前に、たとえば、ＷＬＡＮビーコンと同じ周期性でＬＥメッセージを送り得る。
【００３９】
[0046]  ＳＴＡ１１０−ａのＬＥラジオ２１０は、ＬＥ通信リンク２３０を渡って（over）ＡＰ１０５−ａによって送られるＬＥメッセージを受信するために、ＡＰ１０５−ａによって特定された時間においてウェイクアップし得る。ＬＥメッセージが、ＳＴＡ１１０−ａに対するＴＩＭビットが後続のＷＬＡＮビーコン中に設定されること、または、言い換えれば、後続のＷＬＡＮビーコンが、ＡＰ１０５−ａがＳＴＡ１１０−ａに送信するためのデータを有することを表示することを表示する場合、ＳＴＡ１１０−ａは、後続のＷＬＡＮビーコンを受信するためにＷＬＡＮラジオ２０５をウェイクアップまたはパワーアップし得る。ＬＥメッセージが、ＳＴＡ１１０−ａに対するＴＩＭビットが後続のビーコン中に設定されないこと、または、言い換えれば、後続のＷＬＡＮビーコンが、ＡＰ１０５−ａがＳＴＡ１１０−ａに送信するためのデータを有することを表示しないことを表示する場合、ＳＴＡ１１０−ａは、後続のビーコンに対して、ＷＬＡＮラジオ２０５をパワーアップすることを控え得る。このように、ＳＴＡ１１０−ａは、ＡＰ１０５−ａがＬＥメッセージング（LE messaging）を介してＳＴＡ１１０−ａに送るための保留中のデータを何も有さないことを表示するとき、電力および通信リソースを節約し得る。
【００４０】
[0047]  図３Ａを参照すると、タイミングブロック図３００は、様々な例に従って、ＡＰ１０５−ｂからＳＴＡ１１０−ｂへのビーコンの送信を例示する。ＡＰ１０５−ｂおよび／またはＳＴＡ１１０−ｂは、図１および／または２に関連して説明されるＷＬＡＮ１００および／または２００に関連付けられ得る。ＡＰ１０５−ｂおよび／またはＳＴＡ１１０−ｂは、たとえば、ＬＥ（たとえば、ＢＬＥ）ラジオ２２０、２１０および／またはＷＬＡＮラジオ２１５、２０５を含む、図１および／または２に関連して説明されるＡＰ１０５および／またはＳＴＡ１１０の１つまたは複数の態様をインプリメントし得る。
【００４１】
[0048]  一例において、ＡＰ１０５−ｂは、第１のビーコン３０５−ａを送信し、第１のビーコン３０５−ａの送信の開始の後のある時間間隔またはビーコン間隔３１０で第２のビーコン３０５−ｂを送信し得る。いくつかの場合において、ビーコン間隔３１０は、１００ｍｓ、またはＡＰ１０５−ｂによって構成された任意の他の値であり得る。各ビーコン３０５は、たとえば、長さで１５０バイト（bytes）からおよそ３５０バイトに及び得る。いくつかの場合において、各ビーコン３０５は、ビーコン間隔３１０に関する情報を含み得る。図示されるように、ＡＰ１０５−ｂは、ビーコン３０５−ｃおよび３０５−ｄを送信し得、各々はビーコン間隔３１０によって離れている。しかしながら、ＡＰ１０５−ｂは、ＳＴＡ１１０−ｂがＡＰ１０５−ｂの地理的なカバレッジエリア１２５の外に移動し（moves out）、ＡＰ１０５−ｂとの通信リンク１１５を終了させ、または、そうでなければ、ＡＰ１０５−ｂからの関係を断つ（disassociate）まで、ビーコンを送信することを継続し（continue）得ることが認識されよう。いくつかの場合において、各ビーコン３０５は、ＳＴＡ１１０−ｂに送信するための保留中のデータを有するかどうかを表す表示３０６（たとえば、ビーコン３０５−ａは表示３０６−ａを含み、ビーコン３０５−ｂは表示３０６−ｂを含み、ビーコン３０５−ｃは表示３０６−ｃを含み、ビーコン３０５−ｄは表示３０６−ｄを含む）を含み得る。表示３０６は、たとえば、１に設定されたとき、ＡＰ１０５−ｂがＳＴＡ１１０−ｂに送信するためのデータを有することを表示し得るトラフィック表示マップ（ＴＩＭ）のビットであり得る。表示が０に設定されたとき、それは、ＡＰ１０５−ｂは、ＳＴＡ１１０−ｂに送信するための保留中のデータを有することを表示し得る。他の表示スキームは、本明細書において、熟慮されていることは（contemplated）ことは、認識されるべきである。
【００４２】
[0049]  ＳＴＡ１１０−ｂは、３１５−ａでビーコン３０５−ａを受信するために、ＳＴＡ１１０−ｂのＷＬＡＮラジオ（たとえば、図２のＷＬＡＮラジオ２０５）をパワーアップし得る。ＳＴＡ１１０−ｂのＷＬＡＮラジオは、ウェイクアップの時間期間３２０−ａの間、アクティブであり（たとえば、電力を消費し）得る。ウェイクアップの時間期間３２０−ａは、ビーコン３０５−ａのビーコンの送信の時間に対応し得る。ウェイクアップの時間期間３２０−ａの終わりまたはおよそ終わりでは、ＳＴＡ１１０−ｂは、ＷＬＡＮラジオを３２５−ａでパワーダウンすることを開始し（begin）得る。ＳＴＡ１１０−ｂのＷＬＡＮラジオは、スリープの時間期間３３０−ａの間、パワーダウンされたまま、または、アイドルまたはスリープモードのままであり得、それは、ビーコン３０５−ｂが、ＡＰ１０５−ｂによって、ＳＴＡ１１０−ｂに送信されるまで続く（last）。代替的に述べると、スリープの時間期間３３０−ａと組み合わせられたウェイクアップの時間期間３２０−ａは、ビーコン間隔３１０と等しくあり得る。
【００４３】
[0050]  ＳＴＡ１１０−ｂは、ビーコン３０５−ｂを受信する直前に、３１５−ｂでＷＬＡＮラジオをパワーアップすることを継続し得る。ＳＴＡ１１０−ｂは、ウェイクアップの時間期間３２０−ｂの間、ＷＬＡＮラジオをパワーアップし得、および３２５−ｂにおいて、スリープの時間期間３３０−ｂの間、ビーコン３０５−ｂの終わりにおいて、ＷＬＡＮラジオをパワーダウンし得る。ＳＴＡ１１０−ａは、ビーコン３０５の表示３０６が、ＡＰ１０５−ｂがＳＴＡ１１０−ａに送信するための保留中のデータを有することをシグナリングする（signal）まで、ＷＬＡＮラジオ３１５をパワーアップし、ウェイクアップの時間期間３２０の間アクティブであり続け、およびスリープの時間期間３３０の間ＷＬＡＮラジオ３２５をパワーダウンする、この処理を継続し得る（たとえば、３１５−ｃ、３２０−ｃ、３２５−ｃ、３３０−ｃ、および３１５−ｄ、３２０−ｄ、３２５−ｄ、３３０−ｄ、の初めから終わりまで）。表示３０６が、ＡＰ１０５−ｂがＳＴＡ１１０−ｂに送信するための保留中のデータを有することを表示するとき、ＳＴＡ１１０−ｂは、ＷＬＡＮラジオを、３１５でパワーアップし得、およびＡＰ１０５−ｂからデータを受信するために、ウェイクアップの時間期間３２０を超えてアクティブな状態でＷＬＡＮラジオを保持し（maintain）得る（図示せず）。一旦、ＡＰ１０５−ｂが、ＳＴＡ１１０−ａにデータを送信することを終了すると（finished）、ＳＴＡ１１０−ｂは、上記に説明されるように、ＷＬＡＮラジオをパワーダウンおよびウェイクアップの周期を再開し（resume）得る。
【００４４】
[0051]  タイミングブロック図３００によって例示されるように、ＡＰ１０５−ｂからビーコン３０５を受信するために、特に、ＡＰ１０５−ｂが、時間の延長された期間の間、ＳＴＡ１１０−ｂにデータを送信しない可能性があるとき、ＳＴＡ１１０−ｂは、ＳＴＡ１１０−ｂのＷＬＡＮラジオをアクティベートする（activating）ことによって不要な電力を消費し得る。各ウェイクアップの時間期間３２０の間、ＷＬＡＮラジオをウェイクアップすることはまた、各ウェイクアップの時間期間３２０の間、ＳＴＡ１１０−ｂが他のＡＰ１０５またはＳＴＡ１１０と通信することが制限され得るかまたはできない可能性があるように、ＷＬＡＮラジオを占有し得る。追加的または代替的に、ウェイクアップの時間期間３２０の間、ＷＬＡＮラジオをアクティベートの状態に保持することはまた、ＳＴＡ１１０−ｂ（たとえば、ＬＴＥ、Ｂｌｕｅｔｏｏｔｈ等）によってサポートされたＳＴＡ１１０−ｂおよび／または他の通信技術上にインプリメントされる他のラジオの通信性能（communication performance）に影響し得る。
【００４５】
[0052]  図３Ａを参照すると、タイミングブロック図３００−ａは、様々な例に従って、ＡＰ１０５−ｃからＳＴＡ１１０−ｃへのビーコンの送信およびＬＥ送信を例示する。ＡＰ１０５−ｃおよび／またはＳＴＡ１１０−ｃは、図１および／または２に関連して説明されるＷＬＡＮ１００および／または２００に関連付けられ得る。ＡＰ１０５−ｃおよび／またはＳＴＡ１１０−ｃは、たとえば、ＬＥ（たとえば、ＢＬＥ）ラジオ２２０、２１０および／またはＷＬＡＮラジオ２１５、２０５を含む、図１、２、および／または３Ａに関連して説明されるＡＰ１０５および／またはＳＴＡ１１０の１つまたは複数の態様をインプリメントし得る。
【００４６】
[0053]  一例において、ＡＰ１０５−ｃおよびＳＴＡ１１０−ｃは、図２のＷＬＡＮ通信リンク２２５のような、ＷＬＡＮ通信リンク、および図２のＬＥ通信リンク２３０のような、ＬＥ通信リンクを確立し得る。ビーコン３０５を送信する前に、ＡＰは、ＳＴＡ１１０−ｃに、後続のビーコン３０５がＡＰ１０５−ｃがＳＴＡ１１０−ｃに送信するための保留中のデータを有するかどうかを示す表示３０６を含むかどうかを表示する、ＬＥメッセージ３３５を送信し得る。このように、ＳＴＡ１１０−ｃは、ＡＰ１０５−ｃからデータを受信するために、ＳＴＡ１１０−ｃがＷＬＡＮラジオ（たとえば、図２のＷＬＡＮラジオ２０５）をウェイクアップする必要がある（need）かどうかを決定するために、ＬＥのウェイクアップの時間期間３４０の間だけ、ＬＥラジオ（たとえば、図２のＬＥラジオ２１０）をウェイクアップし得る。ＬＥのウェイクアップの時間期間３４０の間ＬＥラジオをウェイクアップすることは、（ビーコンの）ウェイクアップの時間期間３２０より少ない電力を必要とし得、および実質的にそれより少ない時間の間であり得る。
【００４７】
[0054]  例示されるように、ＡＰ１０５−ａは、まず第一に、ビーコン３０５−ｅを送信する直前に、ＳＴＡ１１０−ｃにＬＥメッセージ３３５−ａを送信し得る。ＬＥメッセージ３３５−ａは、ビーコン３０５−ｅが、表示３０６−ｅを介して、ＡＰ１０５−ｃがＳＴＡ１１０−ｃに送るための保留中のデータを有することを表示しないということを表示し得る。上記に説明されるように、表示３０６−ｅは、０に設定されたＴＩＭビットの形態であり得る。しかしながら、ＡＰ１０５−ｃがＳＴＡ１１０−ｃに送信するためのデータを有するかどうかを表示するための他の手段が、本明細書において熟慮されている（contemplated）ことを認識されたい。
【００４８】
[0055]  ＳＴＡ１１０−ｃは、ＬＥメッセージ３３５−ａを受信するために、ＬＥのウェイクアップの時間期間３４０−ａの間、それのＬＥラジオをウェイクアップし得る。ＬＥメッセージ３３５−ａが、ビーコン３０５−ａの表示３０６−ｅがＡＰ１０５−ｃがＳＴＡ１１０−ｃに送るためのデータを有しないことを表示することをシグナリングするので、ＳＴＡ１１０−ｃは、３１５において、それのＷＬＡＮラジオをパワーアップすること、ウェイクアップの時間期間３２０−ｅの間、ラジオをアクティブな状態に保持すること、および、続いて、３２５において、ラジオをパワーダウンすることを控え得る。その代わり、ＳＴＡ１１０−ｃは、ビーコン間隔３１０−ａと同等であり得るスリープの時間期間３３０−ｄの間、または、次のビーコン３０５−ｆがＡＰ１０５−ｃによって送られるまで、それのＷＬＡＮラジオをスリープ状態に保持し得る。
【００４９】
[0056]  ＡＰ１０５−ｃは、次いで、ビーコン間隔３１０−ａの終わりの直前に、第２のＬＥメッセージ３３５−ｂを送信し得る。ＡＰ１０５−ｃは、ＳＴＡ１１０−ｃに送信するためのデータを有し得、それを反映するように（たとえば、ＴＩＭビットを１に設定することによって）表示３０６−ｆを設定し得る。このように、ＡＰ１０５−ｃは、３５０において、データがＳＴＡ１１０−ｃのために保留中であることを表示するためにＬＥメッセージ３３５−ｂを設定し得る。いくつかの場合において、ＡＰ１０５−ｃのＷＬＡＮラジオは、ＬＥラジオがＬＥメッセージ３３５−ｂを構成し得るように、この情報をＡＰ１０５−ｃのＬＥラジオに通信し得る。ＬＥメッセージ３３５−ｂを送信することの直後に、ＡＰ１０５−ｃは、それのＷＬＡＮラジオを介してＳＴＡ１１０−ｃにビーコン３０５−ｆを送信し得る。
【００５０】
[0057]  ＬＥのウェイクアップの時間期間３４０−ｂの間、ＡＰ１０５−ｃが送るためのデータを有すること、すなわち、表示３０６−ｆが設定されていること（たとえば、１に設定されたＴＩＭビット）を表示するＬＥメッセージ３３５−ｂを受信する際、ＳＴＡ１１０−ｃは、３１５−ｅにおいて、ビーコン３０５−ｆがＡＰ１０５−ｃによって送信される直前に、それのＷＬＡＮラジオをウェイクアップし得る。表示３０６−ｆを含むビーコン３０５−ｆを受信した後に、（延長された）ウェイクアップの時間期間３２０−ｆの間、ＳＴＡ１１０−ｃは、それのＷＬＡＮラジオを介してＡＰ１０５−ｃにＰＳ  Ｐｏｌｌメッセージ３６０を送信し得る。ＡＰ１０５−ｃは、ＳＴＡ１１０−ｃに送るためのデータを有するので、ＡＰ１０５−ｃは、データを送信するために追加の時間期間３５５の間、それのＷＬＡＮラジオをアクティブに保持し得る。ＳＴＡ１１０−ｃからＰＳ  Ｐｏｌｌメッセージ３６０を受信する際、ＡＰ１０５−ｃは、次いで、ＳＴＡ１１０−ｃにデータ３６５を送信し得る。データ３６５を受信する際、ＳＴＡ１１０−ｃは、肯定応答（ＡＣＫ：acknowledgement）３７０を送信し得、続いて、３２５−ｅにおいて、それのＷＬＡＮラジオをパワーダウンし得、後続のビーコンが送られるまで、ＷＬＡＮラジオをスリープの時間期間３３０−ｅの間、スリープまたはアイドルモードに保持し得る。
【００５１】
[0058]  次のビーコン間隔が経過する（elapses）直前に、ＡＰ１０５−ｃは、ビーコン３０５−ｇによって後続されるＬＥメッセージ３３５−ｃを同様に送り得る。ＡＰ１０５−ｃが、ＳＴＡ１１０−ｃに送るためのデータを何も有さない場合、ＡＰ１０５−ｃは、そのようなことをＬＥメッセージ３３５−ｃにおいて表示し得る（たとえば、その表示３０６−ｇが、ＳＴＡ１１０−ｃへの送信保留中のデータが何もないことをシグナリングする）。ＳＴＡ１１０−ｃは、ＬＥメッセージ３３５−ｃを受信するために、ＬＥのウェイクアップの時間期間３４０−ｃの間、それのＬＥラジオをパワーアップし得る。ＬＥメッセージ３３５−ｃが、送信保留中のデータが何もないことを表示するとき、ＳＴＡ１１０−ｃは、ウェイクアップの時間期間３２０−ｇの間、それのＷＬＡＮラジオをウェイクアップすることを割愛し（forego）得る。上記で説明された処理は、同様に（in like fashion）、より多くのデータが受信されるまで継続し得、その際にＳＴＡ１１０−ｃは、それのＷＬＡＮラジオを再度ウェイクアップし得る。
【００５２】
[0059]  ＳＴＡ１１０−ｃは、ＡＰ１０５−ｃからビーコン３０５を受信するために、データがサービングＡＰ（serving AP）１０５−ｃから保留中であるときだけ、それのＷＬＡＮラジオをパワーアップすることによって、かなりの電力利得（significant power gains）を実現し得る。ＳＴＡ１１０−ｃはまた、ＷＬＡＮラジオをアクティブな状態に保持しておく時間がより少ないことに起因して、たとえば、ＳＴＡ１１０−ｃ上にインプリメントされた他のラジオ／トランシーバを介して、通信性能における改良を実現し得る。
【００５３】
[0060]  図４Ａを参照すると、フローブロック図４００は、様々な例に従って、ＡＰ１０５−ｄからＳＴＡ１１０−ｄの間のビーコンの通信およびＬＥ送信を例示する。ＡＰ１０５−ｄおよび／またはＳＴＡ１１０−ｄは、図１および／または２に関連して説明されるＷＬＡＮ１００および／または２００に関連付けられ得る。ＡＰ１０５−ｄおよび／またはＳＴＡ１１０−ｄは、図１、２、３Ａ、および／または３Ｂに関連して説明されるＡＰ１０５および／またはＳＴＡ１１０の１つまたは複数の態様をインプリメントし得る。ＡＰ１０５−ｄは、ＷＬＡＮラジオ２１５−ａおよびＬＥラジオ（ＢＬＥラジオ）２２０−ａを含む、２つ以上のラジオ／トランシーバをインプリメントし得る。同様に、ＳＴＡ１１０−ａは、ＷＬＡＮラジオ２０５−ａおよびＬＥラジオ（ＢＬＥラジオ）２１０−ａを含む、２つ以上のラジオをインプリメントし得る。ＷＬＡＮラジオ２０５−ａおよび２１５−ａ、および／または、ＬＥラジオ２１０−ａおよび２２０−ａは、図２に関連して説明されるＷＬＡＮラジオ２０５、２１５、および／または、ＬＥラジオ２１０および２２０の１つまたは複数の態様の例であり得る。
【００５４】
[0061]  ＳＴＡ１１０−ｄおよびＡＰ１０５−ｄがＷＬＡＮ接続を作成した（form）後に、ＡＰ１０５−ｄまたはＳＴＡ１１０−ｄは、ＬＥ接続（たとえば、ＢＬＥまたは他の同様のローエナジー／アンライセンススペクトル通信技術）の確立を開始（initiate）し得る。ＡＰ１０５−ｄおよびＳＴＡ１１０−ｄは、ＬＥラジオ２２０−ａおよび２１０−ａを介して、４１５ｖで、ＬＥ接続を確立および同期し得る。ＡＰ１０５−ｄは、次いで、ＬＥラジオ２２０−ａを介して、４２０において、後続のビーコンのＴＩＭが０に設定されることになることを表示するＬＥ表示（たとえば、図３Ａおよび３ＢのＬＥメッセージ３３５）を送信し得る。４２０において、ＬＥ表示の送信の直後に、ＡＰ１０５−ｄは、４２５において、０に設定されたＴＩＭを有するビーコン（たとえば、図３Ａおよび３Ｂのビーコン３０５）をＷＬＡＮラジオ２１５−ａを介して送信し得る。ＡＰ１０５−ｄは、続いて、４３０において、ＬＥラジオ２２０−ａを介して第２のＬＥ表示（０に設定されたＴＩＭ）を送信し得、その後、４３５において、ラジオ２１５−ａを介して、第２のビーコン（０に設定されたＴＩＭ）が続く。ＡＰ１０５−ｄは、設定された間隔（たとえば、図３Ａおよび３Ｂのビーコン間隔３１０に従って、たとえば、毎１００ｍｓ）で各ビーコンを送信し得る。ＡＰ１０５−ｄは、ＡＰ１０５−ｄがＳＴＡ１１０−ｄに送信するためのデータを有するまで、構成されたビーコン間隔に従って、（たとえば、０に設定されたＴＩＭを有する）同様のＬＥ表示およびビーコンを送信することを継続し得る。
【００５５】
[0062]  ＡＰ１０５−ｄが、ＡＰ１０５−ｄにおいてＳＴＡ１１０−ｄへの送信のための保留中のデータが何もないことをシグナリングするＬＥ表示を送信している時間期間４７０の間、ＳＴＡ１１０−ｄは、それのＷＬＡＮラジオ２０５−ａをスリープまたはアイドルモードに保持し得る。４２５および４３５において送られたビーコンが、送信から保留中のデータは何もないこと（たとえば、０に設定されたＴＩＭ）を表示するので、ＳＴＡ１１０−ｄは、ＷＬＡＮラジオ２０５−ａをパワーアップする必要がない。また時間期間４７０の間、ＳＴＡ１１０−ｄは、４２０、４３０などにおいて送信されたＬＥ表示を受信するために、それのＬＥラジオ２１０−ａをウェイクアップし得る。
【００５６】
[0063]  ＡＰ１０５−ｄがＳＴＡ１１０−ｄに送るためのデータを有さないとき、ＡＰ１０５−ｄは、ＬＥラジオ２２０−ａにＬＥ表示をそのように設定するように命令し得、４４０において、１に設定されたＴＩＭを有するＬＥ表示を送り得る。４４０において送信されたＬＥ表示を受信する際、ＳＴＡ１１０−ｄは、（たとえば、図３Ｂに関連して上記に説明された処理に従って）４５０において、それのＷＬＡＮラジオ２０５−ａをパワーアップし得る。ＷＬＡＮラジオ２０５−ａは、次いで、４４５において、ＡＰ１０５−ｄによって送信されたビーコンを（１に設定されたＴＩＭを伴って）受信するためにパワーオンされ得る。
【００５７】
[0064]  ４４５において送られたビーコンを受信する際、ＳＴＡ１１０−ｄは、４５５において、ＷＬＡＮラジオ２０５−ａにＡＰ１０５−ｄにＰＳ  Ｐｏｌｌメッセージを送信するように命令し得る。ＡＰ１０５−ｄは、次いで、４６０において、ＷＬＡＮラジオ２１５−ａを介して、ＳＴＡ１１０−ｄにデータを送信し得る。一旦、ＳＴＡが、４６０において送信されたデータの全てを受信すると、ＳＴＡ１１０−ｄは、４６５において、ＡＣＫを送ることによって、またＷＬＡＮラジオ２０５−ａを介して、応答し得る。ＡＰ１０５−ｄおよびＳＴＡ１１０−ｄは、次いで、上記に説明されるように、ＡＰ１０５−ｄがさらにＳＴＡ１１０−ｄに送るためのデータを有するまで、またはＳＴＡ１１０−ｄがＡＰ１０５−ｄのカバレッジエリア（たとえば、図１の地理的なカバレッジエリア１２５）の外に移動するまで、上記に説明されるように、ＬＥ／ビーコンメッセージングスキーム（LE/beacon messaging scheme）に戻り（revert to）得る。
【００５８】
[0065]  例示されるように、ＳＴＡ１１０−ｄは、ＡＰ１０５−ｄがＳＴＡ１１０−ｄに送るためのデータを有することを表示するＬＥメッセージの受領の際にのみ、ＷＬＡＮラジオ２０５−ａをパワーアップし、時間期間４７５の間（たとえば、データ通信が完了および受信確認（acknowledged）されるまで）、ＷＬＡＮラジオ２０５−ａをアクティブな状態に保持する。このように、ＳＴＡ１１０−ｄは、ＡＰ１０５−ｄによって送信されたビーコンを受信するために、それのＷＬＡＮラジオ２０５−ａをただ選択的にパワーアップすることによって、電力リソース（たとえば、電池残量）を節約し得る。
【００５９】
[0066]  各ＬＥメッセージは、同じ時間間隔に従って、各ビーコンに直ちに先行し、よって、ＬＥウェイクアップの時間を構成および、ＬＥメッセージの送信に合わせる（align）必要があるメッセージングを低減するとして説明される。しかしながら、ＬＥ表示またはメッセージは、各ビーコンに関して任意の時間に、任意の時間間隔で、送信され得ることが認識されよう。
【００６０】
[0067]  図４Ｂを参照すると、フローブロック図４００−ａは、様々な例に従って、ＡＰ１０５−ｅからＳＴＡ１１０−ｅの間のビーコンの通信およびＬＥ送信を例示する。ＡＰ１０５−ｅおよび／またはＳＴＡ１１０−ｅは、図１および／または２に関連して説明されるＷＬＡＮ１００および／または２００に関連付けられ得る。ＡＰ１０５−ｅおよび／またはＳＴＡ１１０−ｅは、図１、２、３Ａ、および／または３Ｂに関連して説明されるＡＰ１０５および／またはＳＴＡ１１０の１つまたは複数の態様にインプリメントし得る。ＡＰ１０５−ｅは、ＷＬＡＮラジオ２１５−ｂおよびＬＥラジオ（ＢＬＥラジオ）２２０−ｂを含む、２つ以上のラジオ／トランシーバをインプリメントし得る。同様に、ＳＴＡ１１０−ｅは、ＷＬＡＮラジオ２０５−ｂおよびＬＥラジオ（ＢＬＥラジオ）２１０−ｂを含む、２つ以上のラジオをインプリメントし得る。ＷＬＡＮラジオ２０５−ｂおよび２１５−ｂおよび／またはＬＥラジオ２１０−ｂおよび２２０−ｂは、図２および／または４Ａに関連して説明されるＷＬＡＮラジオ２０５、２１５および／またはＬＥラジオ２１０および２２０の１つまたは複数の態様の例であり得る。
【００６１】
[0068]  図４に関連して上記に同様に説明されるように、ＳＴＡ１１０−ｅおよびＡＰ１０５−ｅがＷＬＡＮ接続を作成した後に、ＡＰ１０５−ｅまたはＳＴＡ１１０−ｅは、ＬＥ接続（たとえば、ＢＬＥまたは他の同様のローエナジー／アンライセンススペクトル通信技術）の確立を開始し得る。ＡＰ１０５−ｅおよびＳＴＡ１１０−ｅは、４１５−ａにおいて、ラジオ２２０−ｂおよび２１０−ｂを介してＬＥ接続を確立および同期し得る。ＡＰ１０５−ｅは、次いで、４２０−ａにおいて、後続のビーコンのＴＩＭが、ＬＥラジオ２２０−ｂを介して０に設定されることを表示するＬＥ表示（たとえば、図３Ａおよび３ＢのＬＥメッセージ３３５）を送信し得る。４２０−ａにおいて、ＬＥ表示の送信の直後に、ＡＰ１０５−ｅは、４２５−ａにおいて、０に設定されたＴＩＭを有するビーコン（たとえば、図３Ａおよび３Ｂのビーコン３０５）をＷＬＡＮラジオ２１５−ｂを介して送信し得る。ＡＰ１０５−ｅは、続いて、４３０−ａにおいて、ＬＥラジオ２２０−ｂを介して第２のＬＥ表示（０に設定されたＴＩＭ）を送信し得、その後、４３５−ａにおいて、ラジオ２１５−ｂを介して、第２のビーコン（０に設定されたＴＩＭ）が続く。ＡＰ１０５−ｅは、設定された間隔（たとえば、図３Ａおよび３Ｂのビーコン間隔３１０に従って、たとえば、毎１００ｍｓ）で各ビーコンを送信し得る。ＡＰ１０５−ｅは、ＡＰ１０５−ｅがＳＴＡ１１０−ｅに送信するためのデータを有するまで構成されたビーコン間隔に従って、同様の（たとえば、０に設定されたＴＩＭを有する）ＬＥ表示およびビーコンを送信することを継続し得る。
【００６２】
[0069]  ＡＰ１０５−ｅが、ＡＰ１０５−ｅにおいてＳＴＡ１１０−ｅへの送信のための保留中のデータは何もないことをシグナリングするＬＥ表示を送信している時間期間４７０−ａの間、ＳＴＡ１１０−ｅは、それのＷＬＡＮラジオ２０５−ｂをスリープまたはアイドルモードに保持し得る。また時間期間４７０−ａの間、ＳＴＡ１１０−ｅは、４２０−ａ、４３０−ａなどにおいて送信されたＬＥ表示を受信するために、それのＬＥラジオ２１０−ａをウェイクアップし得る。
【００６３】
[0070]  ＡＰ１０５−ｅがＳＴＡ１１０−ｅに送るためのデータを有さないとき、ＡＰ１０５−ｅは、ＬＥラジオ２２０−ｂにＬＥ表示をそのように設定するように命令し得、４４０−ａにおいて、１に設定されたＴＩＭを有するＬＥ表示を送り得る。干渉、ラジオの機能不良等に起因して、ＳＴＡ１１０−ｅは、４４５において、送られたＬＥ表示を受信しない可能性がある。指定された時間にＬＥ表示を受信する際、４８０において、後続のビーコンがＡＰ１０５−ｅがＳＴＡ１１０−ｅに送られるデータを有さないことを表示する場合、ＳＴＡ１１０−ｅは、それのＷＬＡＮラジオ２０５−ｂを自動的にパワーアップし得る。指定された時間にＬＥ表示を受信しないときにＷＬＡＮラジオ２０５−ａを自動的にパワーアップすることによって、ＳＴＡ１１０−ｅは、ＡＰ１０５−ｅから送信保留中のデータを受信することに関連付ける遅延を最小限にし得る。ＷＬＡＮラジオ２０５−ｂは、従って、４４５−ａにおいてＡＰ１０５−ｄによって送信されたビーコンを（１に設定されたＴＩＭを伴って）受信するためにパワーオンされ得る。
【００６４】
[0071]  ４４５−ａにおいて送られたビーコンを受信する際、ＳＴＡ１１０−ｅは、ＷＬＡＮラジオ２０５−ａに、４５５−ａにおいて、ＡＰ１０５−ｄにＰＳ  Ｐｏｌｌメッセージを送信するように命令し得る。ＡＰ１０５−ｅは、次いで、４６０−ａにおいて、ＷＬＡＮラジオ２１５−ｂを介して、ＳＴＡ１１０−ｅにデータを送信し得る。一旦、ＳＴＡ１１０−ｅが、４６０−ａにおいて送信されたデータの全てを受信すると、ＳＴＡ１１０−ｅは、４６５−ａにおいて、データ転送の処理を完了するために、ＡＣＫを送ることによって、応答し得る。
【００６５】
[0072]  例示されるように、ＳＴＡ１１０−ｅは、ＬＥ表示が指定された時間に受信されなかったときだけＷＬＡＮラジオ２０５−ａをパワーアップし、時間期間４７５−ａの間（たとえば、データ通信が完了および受信確認されるまで）、ＷＬＡＮラジオ２０５−ｂをアクティブな状態に保持する。このように、ＳＴＡ１１０−ｅは、ＡＰ１０５−ｄによって送信されたビーコンを受信するために、それのＷＬＡＮラジオ２０５−ｂをただ選択的にパワーアップすることによって、電力リソース（たとえば、電池残量）を節約し得る。
【００６６】
[0073]  図５は、本開示の様々な態様に従って、ワイヤレス通信のためのワイヤレスＳＴＡまたはクライアントデバイスにおける使用のための装置５０５のブロック図５００を示す。いくつかの例において、装置５０５は、図１、２、３Ａ、３Ｂ、４Ａ、および／または４Ｂに関連して説明されるワイヤレスＳＴＡ１１０のうちの１つまたは複数の態様の例であり得る。装置５０５はまた、プロセッサ（図示せず）であり得るか、またはそれを含み得る。装置５０５は、ローエナジー（ＬＥ）トランシーバ５１０、ＷＬＡＮトランシーバアクティベータ（WLAN transceiver activator）５１５、および／またはＷＬＡＮトランシーバ５２０を含み得る。これらのブロックの各々は、互いと通信状態にあり得る。
【００６７】
[0074]  装置５０５は、ＬＥトランシーバ５１０、ＷＬＡＮトランシーバアクティベータ５１５、および／またはＷＬＡＮトランシーバ５２０を通じて、本明細書に説明される機能を行うように構成され得る。たとえば、装置５０５は、前の複数の図に関連して上記に説明されるＡＰ１０５のようなＡＰからビーコンを受信するために、ＷＬＡＮトランシーバ５２０をアクティベートするように構成され得る。ＷＬＡＮトランシーバ５２０のアクティベーションは、ビーコンが、ＬＥトランシーバ５１０を介して、ＡＰが装置５０５に送信するための保留中のデータを有することを表示することをシグナリングするＬＥメッセージを受信することに応答して、起こり得る。
【００６８】
[0075]  装置５０５のコンポーネントは、個別にまたは集合的に、ハードウェアにおいて適用可能な機能のうちのいくつかまたは全てを行うように適合された（adapted）１つまたは複数のＡＳＩＣを使用してインプリメントされ得る。代替的に、機能は、１つまたは複数の集積回路上で、１つまたは複数の他の処理ユニット（またはコア）によって行われ得る。他の例においては、他のタイプの集積回路（たとえば、ストラクチャード／プラットフォームＡＳＩＣ、ＦＰＧＡ、および他のセミカスタムＩＣ）が使用され得、それらは、当該技術において知られている任意の方式でプログラムされ得る。各コンポーネントの機能はまた、全体的にあるいは部分的に、メモリにおいて具現化された命令でインプリメントされ、１つまたは複数の汎用または特定用途向けプロセッサによって実行されるようにフォーマットされ得る。
【００６９】
[0076]  ＬＥトランシーバ５１０、それは、Ｂｌｕｅｔｏｏｔｈトランシーバであり得、ＢＬＥ通信プロトコルまたは他の同様なＬＥ／アンライセンススペクトル通信プロトコルのような、ＬＥ通信プロトコルを使用して、メッセージを受信および送信し得る。ＬＥトランシーバ５１０は、様々な情報チャネル（たとえば、制御チャネル、データチャネル等）に関連付けられた制御情報、ユーザデータ、および／またはパケットのような情報を受信し得る。ＬＥトランシーバ５１０は、ＡＰ１０５またはＰ２Ｐ  ＧＯからＬＥメッセージ受信するように構成され得、ＷＬＡＮ通信プロトコルを使用して送信された後続のビーコンは、ＡＰ１０５が装置５０５に送信するための保留中のデータを有することを表示するかどうかを表示し得る。いくつかの場合において、ＬＥメッセージは、次のビーコンのＴＩＭが、ＡＰ１０５が装置５０５に送るためのデータを有することを表示する１、またはＡＰ１０５が装置５０５に送るためのデータを有さないことを表示する０に設定されているかどうかを表示し得る。ＬＥトランシーバ５１０は、ＷＬＡＮトランシーバアクティベータ５１５とＬＥメッセージ（単数または複数）に関する情報を通信し得る。
【００７０】
[0077]  ＷＬＡＮトランシーバ５２０は、ＷＬＡＮ通信プロトコルを使用して、メッセージを受信および送信し得る。ＷＬＡＮトランシーバ５２０は、様々な情報チャネル（たとえば、制御チャネル、データチャネル等）に関連付けられた制御情報、ユーザデータ、および／またはパケットのような情報を受信し得る。ＷＬＡＮトランシーバ５２０は、たとえば、ＡＰ１０５から、ＡＰ１０５が装置５０５に送信するための保留中のデータを有するかどうかを表示し得るＷＬＡＮビーコンを受信するように構成され得る。いくつかの場合において、ＷＬＡＮビーコンは、ＡＰ１０５が装置５０５に送信するためのデータを有するかどうかを表示するためのＴＩＭビット（たとえば、データを表示した１、およびデータが何もないことを表示する０）を含み得る。ＷＬＡＮトランシーバ５２０は、さらに、１つまたは複数のＡＰ１０５またはＰ２Ｐ  ＧＯにデータを受信および送信するように構成され得る。
【００７１】
[0078]  ＷＬＡＮトランシーバアクティベータ５１５は、ＡＰ１０５が、ＷＬＡＮビーコンが装置５０５に送信するためのデータを有することを（たとえば、ＴＩＭビットを介して）表示するかどうかを示す情報を受信し得る。情報は、ＷＬＡＮビーコンの直前にＬＥトランシーバ５１０によって受信されたＬＥメッセージに基づき得る。ＬＥメッセージが、装置５０５に対応する後続のビーコンのＴＩＭビットが１に設定されることを表示する場合、ＷＬＡＮトランシーバアクティベータ５１５は、後続のビーコンを受信するために、ＷＬＡＮトランシーバ５２０にウェイクアップまたはパワーアップするように命令し得る。ＷＬＡＮトランシーバ５２０は、続いて、ＡＰ１０５から送信されたデータを受信するために、アクティブな状態のままであり得る。しかしながら、ＬＥメッセージが、後続のビーコンのＴＩＭが０に設定されることを表示する場合、ＷＬＡＮトランシーバアクティベータ５１５は、ＷＬＡＮトランシーバにパワーアップするように命令することを控え得る。このように、装置５０５への送信保留中のデータが何もない場合、デバイスは、ＷＬＡＮトランシーバ５２０をパワーアップしないことによって（たとえば、ＬＥトランシーバ５１０のみがビーコン間隔の間、アクティブであり、およびＷＬＡＮトランシーバ５２０がスリープ状態のままである）電力リソースを節約し得る。装置５０５は、さらに、たとえば、ＬＥメッセージ間隔、それは、ＡＰ１０５によって装置５０５に設定および／または通信され得る、に従って、電力リソースを節約し得、および、データのないまたは最小限のデータの送信がＬＥトランシーバ５１０を周期的にアクティブにすることによって遅延されることを確実にし得る。いくつかの場合において、ＬＥメッセージ間隔は、ＷＬＡＮビーコン間隔（たとえば、図３Ａおよび３Ｂのビーコン間隔３１０）に対応し得る。
【００７２】
[0079]  いくつかの場合において、ＬＥトランシーバ５１０が、指定された時間にＬＥメッセージを受信しない場合（たとえば、それは設定されたまたは事前に構成されたビーコン間隔３１０に基づいてＡＰ１０５によって構成され得る）、ＬＥトランシーバは、ＷＬＡＮトランシーバアクティベータ５１５にこの情報を通信し得る。ＷＬＡＮトランシーバアクティベータ５１５は、次いで、次のＷＬＡＮビーコンを受信するために、ＷＬＡＮトランシーバ５２０にパワーアップするように命令し得る。このように、何らかの理由のために、装置５０５によってＬＥメッセージがうまく受信されない場合、ＷＬＡＮトランシーバ５２０は、何らかのデータが装置５０５への送信のために保留中の場合、即座のデータ配送を確実にするために、次のＷＬＡＮビーコンを受信し得る。
【００７３】
[0080]  図６は、本開示の様々な例に従って、ワイヤレス通信のためのワイヤレスＳＴＡにおいて使用され得る装置５０５−ａのブロック図６００を示す。装置５０５−ａは、図１、２、３Ａ、３Ｂ、４Ａ、および／または４Ｂに関連して説明されるワイヤレスＳＴＡ１１０の１つまたは複数の態様の例であり得る。装置５０５−ａはまた、図５を参照して説明されている装置５０５の例であり得る。装置５０５−ａはまた、プロセッサ（図示せず）であり得るか、またはそれを含み得る。装置５０５−ａは、ローエナジー（ＬＥ）トランシーバ５１０−ａ、ＷＬＡＮトランシーバアクティベータ５１５−ａ、および／またはＷＬＡＮトランシーバ５２０−ａを含み得る。これらのコンポーネントの各々は、互いと通信状態にあり得る。ＷＬＡＮトランシーバアクティベータ５１５−ａは、ＬＥトランシーバコーディネータ６０５、ビーコン間隔決定器（beacon interval determiner）６１０および／またはＴＩＭ検出器６１５を含み得る。ＬＥトランシーバ５１０−ａおよびＷＬＡＮトランシーバ５２０−ａは、それぞれ、図５のＬＥトランシーバ５１０およびＷＬＡＮトランシーバ５２０の機能を行い得る。
【００７４】
[0081]  ＬＥトランシーバコーディネータ６０５は、たとえば、ＷＬＡＮトランシーバ５２０−ａおよび／またはビーコン間隔決定器６１０から、ＷＬＡＮビーコン間隔またはタイミング情報（たとえば、図３Ａおよび３Ｂのビーコン間隔３１０）を取得し（obtain）得る。いくつかの場合において、装置５０５−ａは、たとえば、ビーコン間隔決定器６１０を介して、ＷＬＡＮビーコン間隔それ自体を構成し得、またはＡＰ１０５またはＰ２Ｐ  ＧＯからＷＬＡＮビーコン間隔を受信し得る。装置５０５−ａが、ＷＬＡＮビーコン間隔それ自体を構成する場合、ビーコン間隔決定器６１０は、ＷＬＡＮビーコンのターゲットビーコンの送信の時間（ＴＢＴＴ）を決定し得る。ビーコン間隔決定器６１０は、次いで、ＬＥトランシーバコーディネータ６０５にこの情報をし得る。
【００７５】
[0082]  ＬＥトランシーバコーディネータ６０５は、次いで、たとえば、各ＷＬＡＮビーコン間隔の開始に直ちに先行する（precede）ために、ＷＬＡＮビーコン間隔に対応するようにＬＥメッセージ間隔を構成し得る。ＬＥトランシーバコーディネータ６０５は、次いで、ＡＰ１０５またはＰ２Ｐ  ＧＯからＬＥメッセージを受信するために、ＬＥトランシーバ５１０−ａに、各ＬＥメッセージ間隔の間、ウェイクアップするように命令し得る。他の場合において、ＡＰ１０５および装置５０５−ａは、ＬＥ通信リンク（たとえば、図２のＬＥ通信リンク２３０）の確立の際にＬＥ間隔および／またはウェイクアップの時間期間を構成し得る。この情報は、次いで、ＬＥトランシーバコーディネータ６０５に通信され得、それは、次いで、ＬＥトランシーバ５１０−ａに指定された時間でウェイクアップまたはパワーアップするように命令し得る。
【００７６】
[0083]  ＷＬＡＮトランシーバアクティベータ５１５−ａのＴＩＭ検出器６１５は、ＬＥトランシーバ５１０−ａによって受信されたＬＥメッセージを受信し得、およびＬＥメッセージが次のビーコンのＴＩＭが１に設定されるかまたは０に設定されるかをシグナリングするかどうかを決定し得る。ＴＩＭ検出器６１５が、次のビーコンが１に設定されたＴＩＭを含むことを決定する場合、ＴＩＭ検出器６１５は、後続のＷＬＡＮビーコンを受信するために、ＷＬＡＮトランシーバ５２０−ａにウェイクアップするように命令し得る。しかしながら、ＴＩＭ検出器６１５が、次のビーコンが０に設定されたＴＩＭを含むことを決定する場合、ＴＩＭ検出器６１５は、ＷＬＡＮトランシーバ５２０−ａに、後続のＷＬＡＮビーコン間隔の間、スリープまたはアイドルモードのままであるように命令し得る。いくつかの場合において、ＴＩＭ検出器６１５は、次のＷＬＡＮビーコンが０に設定されたＴＩＭを含むことを表示するために、ＷＬＡＮトランシーバ５２０−ａと何も通信し得る。
【００７７】
[0084]  図７を参照すると、ＷＬＡＮビーコンが、ＬＥトランシーバを介して、ＡＰ１０５がＳＴＡ１１０−ｆに送信するための保留中のデータを有することを表示することをシグナリングするＬＥメッセージを受信する際に、ＡＰ１０５からＷＬＡＮビーコンを受信するためにＷＬＡＮトランシーバをアクティベートするために構成されるワイヤレスＳＴＡ１１０−ｆを例示するブロック図７００が示されている。ワイヤレスＳＴＡ１１０−ｆは、様々な他の構成を有し得、パーソナルコンピュータ（たとえば、ラップトップコンピュータ、ネットブックコンピュータ、タブレットコンピュータ等）、セルラ電話、ＰＤＡ、デジタルビデオレコーダ（ＤＶＲ）、インターネット家電、ゲーミングコンソール、電子リーダ等を含み得るか、またはその一部であり得る。ワイヤレスＳＴＡ１１０−ｆは、モバイル動作を容易にするために、小型バッテリのような内部電力供給（図示せず）を有し得る。ワイヤレスＳＴＡ１１０−ｆは、図１、２、３Ａ、３Ｂ、４Ａ、および／または４ＢのワイヤレスＳＴＡ１１０の例であり得、およびまたは図５および６の装置５０５および５０５−ａの１つまたは複数の態様を組み込み得る。
【００７８】
[0085]  ＳＴＡ１１０−ｆは、プロセッサ７２０、メモリ７２５、ＬＥトランシーバ５１０−ｂ、ＬＥアンテナ７０５、ＷＬＡＮトランシーバ５２０−ｂ、ＷＬＡＮアンテナ７１０、ＷＬＡＮトランシーバアクティベータ５１５−ｂ、およびＬＥトランシーバ同期コントローラ７４０を含み得る。ＬＥトランシーバ５１０−ｂは、図２、４Ａ、および／または４ＢのＬＥラジオ２１０、および／または図５、６、および／または６のＬＥトランシーバ５１０の例であり得る。ＷＬＡＮトランシーバ５２０−ｂは、図２、４Ａ、および／または４ＢのＷＬＡＮラジオ２０５の、および／または図５および／または６のＷＬＡＮトランシーバ５２０の例であり得る。ＷＬＡＮトランシーバアクティベータ５１５−ｂは、図５および／または図６のＷＬＡＮトランシーバアクティベータ５１５の例であり得る。これらのコンポーネントの各々は、少なくとも１つのバス７３５上で、直接的または間接的に、互いに通信状態にあり得る。
【００７９】
[0086]  メモリ７２５は、ＲＡＭおよびＲＯＭを含み得る。メモリ７２５は、ＬＥトランシーバ５１０−ｂを介して、後続のＷＬＡＮビーコンがＡＰ１０５がＳＴＡ１１０−ｆに送信するためのデータを有する表示を受信する際に、実行されたとき、プロセッサ７２０に本明細書で説明されるＷＬＡＮトランシーバ５２０−ｂを選択的にパワーアップするための様々な機能を行わせるように構成された命令を含む（containing）コンピュータ可読、コンピュータ実行可能ソフトウェア（ＳＷ）コード７３０を記憶し得る。代替的に、ソフトウェアコード７３０は、プロセッサ７２０によって直接的に実行可能でない可能性があるが、（たとえば、コンパイルおよび実行されたとき）コンピュータに、本明細書で説明された機能を行わせるように構成され得る。
【００８０】
[0087]  プロセッサ７２０は、インテリジェントハードウェアデバイス、たとえば、ＣＰＵ、マイクロコントローラ、ＡＳＩＣ等を含み得る。プロセッサ７２０は、ＬＥおよびＷＬＡＮアンテナ７０５および７１０を通じた送信のために、ＬＥおよびＷＬＡＮトランシーバ５１０−ｂ、５２０−ｂを通じて受信された、および／またはＬＥおよびＷＬＡＮトランシーバ５１０−ｂ、５２０−ｂに送られることになる情報を、それぞれ処理し得る。プロセッサ７２０は、単独でまたはＷＬＡＮトランシーバアクティベータ５１５−ｂに関連して、ＡＰ１０５がＳＴＡ１１０−ｆに送るためのデータを有することを表示するＷＬＡＮビーコンを受信するためにＷＬＡＮトランシーバ５２０−ｂを選択的にパワーアップするための様々な態様を対処し（handle）得る。
【００８１】
[0088]  ＬＥおよび／またはＷＬＡＮトランシーバ５１０−ｂ、５２０−ｂは、各々、図１、２、３Ａ、３Ｂ、４Ａ、および４Ｂに関連して説明されるＡＰ１０５と双方向で（bi-directionally）通信するように構成され得る。ＬＥおよび／またはＷＬＡＮトランシーバ５１０−ｂ、５２０−ｂは、少なくとも１つの送信機および少なくとも１つの別個の受信機として各々インプリメントされ得る。ＬＥおよび／またはＷＬＡＮトランシーバ５１０−ｂ、５２０−ｂは、各々、パケットを変調し、変調されたパケットを送信のためにアンテナ７０５、７１０に提供し、およびアンテナ７０５、７１０から受信されたパケットを復調するように構成されたモデムを含み得る。ＳＴＡ１１０−ｆが、（ＬＥおよびＷＬＡＮ通信の両方の能力がある）単一のアンテナを含み得る一方で、ＳＴＡ１１０−ｆが多数のアンテナ７０５、７１０を含み得る態様が存在し得る。
【００８２】
[0089]  図７のアーキテクチャによると、ＳＴＡ１１０−ｆは、通信マネジャ７１５をさらに含み得る。通信マネジャ７１５は、様々なＡＰ１０５および／またはＰ２Ｐ  ＧＯとの通信を管理し得る。通信マネジャ７１５は、少なくとも１つのバス７３５上でＳＴＡ１１０−ｆの他のコンポーネントのいくつかまたは全てと通信状態にあるＳＴＡ１１０−ｆのコンポーネントであり得る。代替的に、通信マネジャ７１５の機能は、ＬＥおよびＷＬＡＮトランシーバ５１０−ｂ、５２０−ｂの各々のコンポーネントとして、コンピュータプログラム製品として、および／またはプロセッサ７２０の少なくとも１つのコントローラ要素としてインプリメントされ得る。
【００８３】
[0090]  ＳＴＡ１１０−ｆのコンポーネントは、図３Ａ、３Ｂ、４Ａ、４Ｂ、５、および／または６に関して上記で説明された態様をインプリメントするように構成され得、これらの態様は、簡潔さのために、本明細書では繰り返されない可能性もある。ＳＴＡ１１０−ｆは、ＬＥトランシーバ同期コントローラ７４０をさらに含み得る。ＬＥトランシーバ同期コントローラ７４０は、ＬＥトランシーバ５１０−ｂ／ＬＥアンテナ７０５から、バス７３５を介して、ＡＰ１０５またはＰ２Ｐ  ＧＯとのＬＥ通信のタイミング情報に関して情報を受信し得る。ＬＥトランシーバ同期コントローラ７４０はまた、たとえば、ＴＢＴＴおよび／またはビーコン間隔（たとえば、図３Ａおよび３Ｂのビーコン間隔３１０）に関して、たとえば、ＷＬＡＮトランシーバアクティベータ５１５−ｂ、ＷＬＡＮトランシーバ５２０−ｂ、および／またはＷＬＡＮアンテナ７１０から、ＷＬＡＮタイミング情報を受信し得る。ＬＥトランシーバ同期コントローラ７４０は、次いで、ＬＥ接続（たとえば、Ｂｌｕｅｔｏｏｔｈ接続）を保持するために、およびＬＥトランシーバ５１０−ｂがＡＰ１０５から送られた各ＬＥメッセージを受信するために、適した時間においてウェイクアップしていることを確実にするために、ＬＥトランシーバ５１０−ｂをＡＰ１０５のＬＥトランシーバ（たとえば、図２、４Ａ、および４ＢのＬＥラジオ２１０）と同期し得る。
【００８４】
[0091]  図８は、本開示の様々な態様に従って、ワイヤレス通信のための方法８００の例を例示するフローチャートである。明確にするため、方法８００は、図１、２、３Ａ、３Ｂ、４Ａ、４Ｂ、および／または７に関連して説明されるＳＴＡ１１０のうちの１つまたは複数の態様、および／または図５および／または６の装置５０５および５０５−ａのうちの１つまたは複数の態様に関連して下記に説明される。いくつかの例において、ＳＴＡ１１０は、下記に説明される機能を行うためにＳＴＡ１１０の機能要素を制御するためのコードの１つまたは複数のセットを実行し得る。追加的または代替的に、ＳＴＡ１１０は、下記に説明される使用用ハードウェア機能のうちの１つまたは複数を行い得る。
【００８５】
[0092]  ブロック８０５において、方法８００は、ＷＬＡＮビーコンのＴＩＭの表示を含む第１の信号を、ワイヤレスＳＴＡ１１０のＬＥ通信プロトコル（たとえば、ＢＬＥ）をインプリメントする第１のラジオを使用して、受信することを含み得る。第１のラジオは、図２、４Ａ、および／または４ＢのＬＥラジオ２１０の１つまたは複数の態様、および／または図５、６、および／または７のＬＥトランシーバ５１０の１つまたは複数の態様の例であり得る。いくつかの態様において、第１の信号は、ＡＰ１０５またはＰ２Ｐ  ＧＯから受信され得る。いくつかの場合において、第２のラジオは、第１のラジオによって第１の信号が受信されるとき、スリープ状態にあり得る。
【００８６】
[0093]  ブロック８１０において、方法８００は、表示に応答して、ＷＬＡＮビーコンを受信するために、ワイヤレスＳＴＡの第２のラジオを選択的にパワーアップすることを含み得る。ブロック８０５での動作（単数または複数）は、図５、６、および／または７に関連して説明されるＷＬＡＮトランシーバアクティベータ５１５および／またはＷＬＡＮトランシーバ５２０および／または図２、４Ａ、および／または４Ｂに関連して説明されるＷＬＡＮラジオ２０５を使用して行われ得る。
【００８７】
[0094]  よって、方法８００は、ワイヤレス通信を提供し（provide for）得る。方法８００は、単に１つのインプリメンテーションに過ぎず、方法８００の動作は、他のインプリメンテーションが可能であるように、再配置（rearranged）またはそうでなければ修正され得ることを留意されたい。
【００８８】
[0095]  図９は、本開示の様々な態様に従って、ワイヤレス通信のための方法９００の例を例示するフローチャートである。明確にするため、方法９００は、図１、２、３Ａ、３Ｂ、４Ａ、４Ｂ、および／または７に関連して説明されるＳＴＡ１１０のうちの１つまたは複数の態様、および／または図５および／または６の装置５０５および５０５−ａのうちの１つまたは複数の態様に関連して下記に説明される。いくつかの例において、ＳＴＡ１１０は、下記に説明される機能を行うためにＳＴＡ１１０の機能要素を制御するためのコードの１つまたは複数のセットを実行し得る。追加的または代替的に、ＳＴＡ１１０は、下記に説明される使用用ハードウェア機能のうちの１つまたは複数を行い得る。
【００８９】
[0096]  ブロック９０５において、方法９００は、ＷＬＡＮビーコンのＴＢＴＴの前の所定の間隔でワイヤレスＳＴＡ１１０のＬＥ通信プロトコルをインプリメントする第１のラジオをパワーアップすること含み得る。ブロック９０５における動作（単数または複数）は、図６に関連して説明されるＬＥトランシーバコーディネータ６０５、ビーコン間隔決定器６１０、および／またはＬＥトランシーバ５１０−ａを使用して、行われ得る。
【００９０】
[0097]  ブロック９１０において、方法９００は、ＷＬＡＮビーコンのＴＩＭの表示を含む第１の信号を、第１のラジオを使用して、受信することを含み得る。ブロック９１０における動作（単数または複数）は、図２、４Ａ、および／または４ＢのＬＥラジオ２１０、および／または図５、６、および／または７のＬＥトランシーバ５１０の１つまたは複数の態様を使用して、行われ得る。
【００９１】
[0098]  ブロック９１５において、方法９００は、ＷＬＡＮビーコンのＴＩＭにおけるワイヤレスＳＴＡ１１０に関連付けられたビットが設定されていることを表示する第１の信号に応答して、ＷＬＡＮビーコンを受信するために、ワイヤレスＳＴＡ１１０の第２のラジオをパワーアップすることを含み得る。ブロック９１５での動作（単数または複数）は、図６に関連して説明されるＴＩＭ検出器６１５およびＷＬＡＮトランシーバ５２０、図５、６、および／または７に関連して説明されるＷＬＡＮトランシーバアクティベータ５１５および／またはＷＬＡＮトランシーバ５２０、および／または図２、４Ａ、および／または４Ｂに関連して説明されるＷＬＡＮラジオ２０５を使用して行われ得る。
【００９２】
[0099]  代替的に、ブロック９２０において、方法９００は、ＷＬＡＮビーコンのＴＩＭにおけるワイヤレスＳＴＡ１１０に関連付けられたビットが設定されていないことを表示する第１の信号に応答して、ワイヤレスＳＴＡ１１０の第２のラジオをパワーアップすることを控えることを含み得る。ブロック９２０での動作（単数または複数）は、図６に関連して説明されるＴＩＭ検出器６１５およびＷＬＡＮトランシーバ５２０、図５、６、および／または７に関連して説明されるＷＬＡＮトランシーバアクティベータ５１５および／またはＷＬＡＮトランシーバ５２０、および／または図２、４Ａ、および／または４Ｂに関連して説明されるＷＬＡＮラジオ２０５を使用して行われ得る。
【００９３】
[0100]  ブロック９２５において、方法９００は、第２のＷＬＡＮビーコンの第２のＴＩＭの第２の表示を含む第２の信号が、ワイヤレスＳＴＡ１１０の第１のラジオによって受信されていなかったことを決定することを含み得る。ブロック９２５における動作（単数または複数）は、図２、４Ａ、および／または４ＢのＬＥラジオ２１０、および／または図５、６、および／または７のＬＥトランシーバ５１０および／または図６のＴＩＭ検出器６１５の１つまたは複数の態様を使用して、行われ得る。
【００９４】
[0101]  ブロック９３０において、方法９００は、ブロック９２５において行なわれた決定に応答して、第２のＷＬＡＮビーコンを受信するために第２のラジオをパワーアップすることを含み得る。ブロック９３０での動作（単数または複数）は、図５、６、および／または７に関連して説明されるＷＬＡＮトランシーバアクティベータ５１５および／またはＷＬＡＮトランシーバ５２０を使用して行われ得る。
【００９５】
[0102]  よって、方法９００は、ワイヤレス通信を提供し得る。方法９００は、単に１つのインプリメンテーションに過ぎず、方法９００の動作は、他のインプリメンテーションが可能であるように、再配置またはそうでなければ修正され得ることを留意されたい。
【００９６】
[0103]  図１０は、本開示の様々な態様に従って、ワイヤレス通信のための方法１０００の例を例示するフローチャートである。明確にするため、方法１０００は、図１、２、３Ａ、３Ｂ、４Ａ、４Ｂ、および／または７に関連して説明されるＳＴＡ１１０およびＡＰ１０５（またはＰ２Ｐ  ＧＯ）のうちの１つまたは複数の態様、および／または図５および／または６の装置５０５および／または５０５−ａのうちの１つまたは複数の態様に関連して下記に説明される。いくつかの例において、ＳＴＡ１１０（ピア２またはＰ２と呼ばれる）は、下記に説明される機能を行うためにＳＴＡ１１０の機能要素を制御するためのコードの１つまたは複数のセットを実行し得る。追加的または代替的に、ＳＴＡ１１０は、下記に説明される使用用ハードウェア機能のうちの１つまたは複数を行い得る。同様に、ＡＰ１０５またはＰ２Ｐ  ＧＯ（ピア１またはＰ１と呼ばれる）は、下記に説明される機能を行うためにＡＰ１０５またはＰ２Ｐ  ＧＯの機能要素を制御するためのコードの１つまたは複数のセットを実行し得る。追加的または代替的に、ＡＰ１０５またはＰ２Ｐ  ＧＯは、下記に説明される使用用ハードウェア機能のうちの１つまたは複数を行い得る。
【００９７】
[0104]  ブロック１００５において、ＡＰ１０５またはＰ２Ｐ  ＧＯ（Ｐ１）またはＳＴＡ１１０（Ｐ２）は、他のデバイスとのＬＥ（たとえば、ＢＬＥ）接続が確立されていたかどうかを決定し得る。ＬＥ接続が確立されていないことが決定された場合、Ｐ１およびＰ２は、１０１０において、たとえば、図２、４Ａ、および／または４ＢのＬＥラジオ２１０、２２０、および／または図５、６、および／または７のＬＥトランシーバ５１０を使用して、ＬＥ接続を確立し得る。
【００９８】
[0105]  一旦、ＬＥ接続（たとえば、図２のＬＥ通信リンク２３０）が確立されると、Ｐ２は、Ｐ１からのＬＥ信号を周期的にモニタし（monitor）得、ポジティブな（positive）ＴＩＭ表示が何も検出されない場合、ブロック１０１５において、Ｐ２のＷＬＡＮラジオ／トランシーバ（たとえば、図２、４Ａ、および／または４ＢのＷＬＡＮラジオ２０５および／または図５、６、および／または７のＷＬＡＮトランシーバ５２０）に、スリープ状態に入らせるか／スリープ状態のままであるように命令し得る。
【００９９】
[0106]  Ｐ１のＬＥラジオ／トランシーバ（たとえば、図２、４Ａ、および／または４ＢのＬＥラジオ２２０）は、ブロック１０２０において、Ｐ１のＷＬＡＮラジオ／トランシーバが、後続のＷＬＡＮビーコンのためにＴＩＭを設定したかどうかを持続的にまたは周期的に決定し得る。Ｐ１のＷＬＡＮラジオ／トランシーバによってＴＩＭが何も設定されない場合、Ｐ１は、ブロック１０２５において、ＬＥ通信プロトコルを介して、Ｐ２に表示を送ることを控え得る。代替的に、Ｐ１は、Ｐ２に、後続のＷＬＡＮビーコンのＴＩＭが０に設定されていることを表示するＬＥメッセージを送り得る。一旦、Ｐ１のＬＥラジオ／トランシーバが、Ｐ１のＷＬＡＮラジオ／トランシーバが次のＷＬＡＮビーコンのＴＩＭを１に設定したことを決定すると、Ｐ１のＬＥラジオ／トランシーバは、１０３０において、Ｐ２にそのようなものを表示するＬＥメッセージを送り得る。
【０１００】
[0107]  Ｐ２は、ＬＥ接続の確立において通信された指定された間隔に従って、Ｐ１によって送られたＬＥメッセージを受信するために、それのＬＥラジオ／トランシーバをパワーアップし得る。Ｐ２が、ブロック１０３５において、それが、指定された時間で、Ｐ１からＬＥメッセージを受信したことを決定する場合、Ｐ２は、ブロック１０４５において、ＬＥメッセージに応答して、Ｐ１のＷＬＡＮラジオ／トランシーバによって送られた後続のＷＬＡＮビーコンを受信するために、それのＷＬＡＮラジオ／トランシーバをウェイクアップし得る。Ｐ２は、次いで、ブロック１０５０において、それのＷＬＡＮラジオ／トランシーバを介して、Ｐ１によって送られたデータを受信し得る。
【０１０１】
[0108]  しかしながら、Ｐ２が、ブロック１０３５において決定されたように、指定された時間にＰ１からのＬＥメッセージを受信しない場合、Ｐ２は、ブロック１０４０において、レガシーＷＬＡＮのパワーセーブプロシージャ（legacy WLAN power save procedures）に従い（follow）得る。いくつかの場合において、レガシーＷＬＡＮのプロシージャに従うことは、構成ビーコン間隔に従って、次のＷＬＡＮビーコンのために、Ｐ２のＷＬＡＮラジオをウェイクアップすることを含み得る。この状況では、方法１０００は、ブロック１０５０において継続し得、ここにおいてＰ２のＷＬＡＮラジオは、Ｐ２から送られたデータを受信し得る。
【０１０２】
[0109]  よって、方法１０００は、ワイヤレス通信を提供し得る。方法１０００は、単に１つのインプリメンテーションに過ぎず、方法１０００の動作は、他のインプリメンテーションが可能であるように、再配置またはそうでなければ修正され得ることを留意されたい。
【０１０３】
[0110]  いくつかの例においては、方法８００、９００、または１０００のうちの２つ以上からの態様が組み合され得る。方法８００、９００、および１０００は、単にインプリメンテーションの例に過ぎず、方法８００、９００、および１０００の動作は、他のインプリメンテーションが可能であるように、再配置またはそうでなければ修正され得ることを留意されたい。
【０１０４】
[0111]  添付された図面に関連して上述された詳細な説明は、例を説明しており、インプリメントされ得るまたは特許請求の範囲の範囲内にある唯一の例を表すものではない。「例（example）」および「例証的（exemplary）」という用語は、本説明中で使用されるとき、「例、実例（instance）、または例示としての役割を果たす（serving）」ことを意味し、「好ましい」または「他の例に対して有利である」ことを意味しない。詳細な説明は、説明された技法の理解を提供する目的として特定の詳細を含む。これらの技法は、しかしながら、これらの特定の詳細なく実施（practice）され得る。いくつかの事例において、周知の構造および装置は、説明された例の概念を曖昧にすることを避けるために、ブロック図の形式で示される。
【０１０５】
[0112]  情報および信号は、さまざまな異なる技術および技法のうちの任意のものを使用して表され得る。たとえば、上記の説明を通して参照され得るデータ、命令群、コマンド、情報、信号、ビット、シンボル、およびチップは、電圧、電流、電磁波、磁界あるいは磁気粒子、光学場または光学粒子、あるいはそれら任意の組み合わせによって表され得る。
【０１０６】
[0113]  本明細書での開示に関連して説明される様々な例示的なブロックおよびコンポーネントは、汎用プロセッサ、デジタルシグナルプロセッサ（ＤＳＰ）、ＡＳＩＣ、ＦＰＧＡまたは他のプログラマブル論理デバイス、離散ゲートまたはトランジスタ論理、離散ハードウェアコンポーネント、または本明細書で説明された機能を行うように設計されたそれらの任意の組み合わせを用いてインプリメントまたは行われ得る。汎用プロセッサは、マイクロプロセッサであり得るが、代替として、このプロセッサは、任意の従来のプロセッサ、コントローラ、マイクロコントローラ、またはステートマシンであり得る。プロセッサはまた、計算デバイスの組み合わせ、たとえば、ＤＳＰおよびマイクロプロセッサの組み合わせ、多数のマイクロプロセッサ、ＤＳＰコアと連携した１つまたは複数のマイクロプロセッサ、ならびに任意の他のそのような構成としてインプリメントされ得る。
【０１０７】
[0114]  本明細書で説明された機能は、ハードウェア、プロセッサによって実行されるソフトウェア、ファームウェア、またはそれらの任意の組み合わせにおいてインプリメントされ得る。プロセッサによって実行されるソフトウェアでインプリメントされる場合には、機能は、コンピュータ可読媒体上の１つまたは複数の命令またはコードとして記憶または送信され得る。他の例およびインプリメンテーションは、本開示および添付された特許請求の範囲の範囲および精神内にある。たとえば、ソフトウェアの性質により、上記に説明された機能は、プロセッサによって実行されるソフトウェア、ハードウェア、ファームウェア、ハード配線、またはこれらのいずれかの組み合わせを使用してインプリメントされることができる。機能をインプリメントする特徴はまた、機能の一部が異なる物理的ロケーションでインプリメントされるように分散されることを含めて、様々な位置に物理的にロケートされ（physically located）得る。請求項中を含む本明細書で使用される場合、「および／または（and/or）」という用語は、２つ以上の項目からなるリストで使用されるとき、リストされた項目のうちのいずれか１つが単独で採用されることができること、または、リストされた項目のうちの２つ以上からなる任意の組み合わせが採用されることができることを意味する。たとえば、ある構成が、コンポーネントＡ、Ｂ、および／またはＣを含むものとして説明されている場合、この構成は、Ａだけ、Ｂだけ、Ｃだけ、ＡとＢの組み合わせ、ＡとＣの組み合わせ、ＢとＣの組み合わせ、またはＡとＢとＣの組み合わせを含むことができる。また、請求項中を含む本明細書で使用される場合、項目のリスト（たとえば、「のうちの少なくとも１つ」または「のうちの１つまたは複数」のようなフレーズで始まる項目のリスト）において使用されるような「または（or）」は、たとえば、「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を表示する。
【０１０８】
[0115]  コンピュータ可読媒体は、ある場所から別の場所へのコンピュータプログラムの転送を容易にする任意の媒体を含む通信媒体およびコンピュータ記憶媒体との両方を含む。記憶媒体は、汎用または特殊用途コンピュータによってアクセスされることができる任意の利用可能な媒体であり得る。限定ではなく例として、コンピュータ可読媒体は、ＲＡＭ、ＲＯＭ、ＥＥＰＲＯＭ（登録商標）、フラッシュメモリ、ＣＤ−ＲＯＭまたは他の光ディスク記憶装置、磁気ディスク記憶装置または他の磁気記憶デバイス、あるいは命令またはデータ構造の形態で所望のプログラムコード手段を搬送または記憶するために使用されることができ、汎用または特殊用途コンピュータ、あるいは汎用または特殊用途プロセッサによってアクセスされることができる任意の他の媒体を備えることができる。また、任意の接続は、厳密にはコンピュータ可読媒体と称される。たとえば、ソフトウェアが、同軸ケーブル、光ファイバーケーブル、ツイストペア、デジタル加入者回線（「ＤＳＬ」）、または赤外線、無線、およびマイクロ波のようなワイヤレス技術を使用して、ウェブサイト、サーバ、または他のリモートソースから送信される場合、その時、同軸ケーブル、光ファイバーケーブル、ツイストペア、ＤＳＬ、または赤外線、無線、およびマイクロ波のようなワイヤレス技術は、媒体の定義に含まれる。ディスク（disk）およびディスク（disc）は、本明細書で使用される場合、コンパクトディスク（ＣＤ）（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１０９】
[0116]  本開示の先の説明は、当業者が本開示を製造または使用することを可能にするために提供される。本開示への様々な修正は、当業者にとって容易に明らかであり、ここに定義された一般的な原理は、本開示の範囲から逸脱することなく、他の変形形態に適用され得る。よって、本開示は、ここに説明された例および設計に限定されるべきではなく、ここに開示された原理および新規な特徴と一致する最も広い範囲を与えられることとなる。
以下に本願の出願当初の特許請求の範囲に記載された発明を付記する。
［Ｃ１］
ワイヤレス通信の方法であって、
ワイヤレスローカルエリアネットワーク（ＷＬＡＮ）ビーコンのトラフィック表示マップ（ＴＩＭ）の表示を備える第１の信号を、ワイヤレス局（ＳＴＡ）の第１のラジオを使用して、受信すること、ここにおいて、前記第１の信号は、ローエナジー（ＬＥ）通信プロトコルを使用して受信される、および
前記表示に応答して、前記ＷＬＡＮビーコンを受信するために、前記ワイヤレスＳＴＡの第２のラジオを選択的にパワーアップすること
を備える、方法。
［Ｃ２］
前記第１の信号を受信することは、
前記ＷＬＡＮビーコンのターゲットビーコンの送信の時間（ＴＢＴＴ）の前に所定の間隔で前記第１のラジオをパワーアップすることを備える、Ｃ１に記載の方法。
［Ｃ３］
前記第１の信号は、前記ＷＬＡＮビーコンと同じ周期性で周期的に受信される、Ｃ１に記載の方法。
［Ｃ４］
前記第２のラジオを選択的にパワーアップすることは、
前記ＷＬＡＮビーコンの前記ＴＩＭにおける前記ワイヤレス局に関連付けられたビットが設定されていることを表示する前記第１の信号に応答して、前記ＷＬＡＮビーコンを受信するために、前記ワイヤレス局の前記第２のラジオをパワーアップすることを備える、Ｃ１に記載の方法。
［Ｃ５］
前記第２のラジオを選択的にパワーアップすることは、
前記ＷＬＡＮビーコンの前記ＴＩＭにおける前記ワイヤレス局に関連付けられたビットが設定されていないことを表示する前記第１の信号に応答して、前記ワイヤレス局の前記第２のラジオをパワーアップすることを控えることを備える、Ｃ１に記載の方法。
［Ｃ６］
第２のＷＬＡＮビーコンの第２のＴＩＭの第２の表示を備える第２の信号が、前記ＬＥ通信プロトコルを使用して受信されていなかったことを決定することに応答して、前記第２のＷＬＡＮビーコンを受信するために、前記ワイヤレス局の前記第２のラジオをパワーアップすることをさらに備える、Ｃ１に記載の方法。
［Ｃ７］
前記第１の信号は、アクセスポイントおよびピアツーピアグループオーナーから成るグループのうちの１つから受信される、Ｃ１に記載の方法。
［Ｃ８］
前記アクセスポイントまたは前記ピアツーピアグループオーナーと前記第１のラジオを周期的に同期することをさらに備える、Ｃ７に記載の方法。
［Ｃ９］
前記第２のラジオは、前記第１の信号が受信されるとき、スリープ状態にある、Ｃ１に記載の方法。
［Ｃ１０］
前記ＬＥ通信プロトコルは、Ｂｌｕｅｔｏｏｔｈ  Ｌｏｗ  Ｅｎｅｒｇｙ（ＢＬＥ）を備える、Ｃ１に記載の方法。
［Ｃ１１］
ワイヤレス通信に関する装置であって、
ワイヤレスローカルエリアネットワーク（ＷＬＡＮ）ビーコンのトラフィック表示マップ（ＴＩＭ）の表示を備える第１の信号を、前記装置の第１のラジオを使用して、受信するための手段、ここにおいて、前記第１の信号は、ローエナジー（ＬＥ）通信プロトコルを使用して受信される、および
前記表示に応答して、前記ＷＬＡＮビーコンを受信するために、前記装置の第２のラジオを選択的にパワーアップするための手段
を備える、装置。
［Ｃ１２］
前記第１の信号を受信するための前記手段は、前記ＷＬＡＮビーコンのターゲットビーコンの送信の時間（ＴＢＴＴ）の前に所定の間隔で前記第１のラジオをパワーアップするための手段を備える、Ｃ１１に記載の装置。
［Ｃ１３］
前記第１の信号は、前記ＷＬＡＮビーコンと同じ周期性で周期的に受信される、Ｃ１１に記載の装置。
［Ｃ１４］
前記第２のラジオを選択的にパワーアップするための前記手段は、
前記ＷＬＡＮビーコンの前記ＴＩＭにおける前記装置に関連付けられたビットが設定されていることを表示する前記第１の信号に応答して、前記ＷＬＡＮビーコンを受信するために、前記第２のラジオをパワーアップするための手段を備える、Ｃ１１に記載の装置。
［Ｃ１５］
前記第２のラジオを選択的にパワーアップするための前記手段は、
前記ＷＬＡＮビーコンの前記ＴＩＭにおける前記装置に関連付けられたビットが設定されていないことを表示する前記第１の信号に応答して、前記第２のラジオをパワーアップすることを控えるための手段を備える、Ｃ１１に記載の装置。
［Ｃ１６］
第２のＷＬＡＮビーコンの第２のＴＩＭの第２の表示を備える第２の信号が、前記ＬＥ通信プロトコルを使用して受信されていなかったことを決定することに応答して、前記第２のＷＬＡＮビーコンを受信するために、前記第２のラジオをパワーアップするための手段をさらに備える、Ｃ１１に記載の装置。
［Ｃ１７］
前記第１の信号は、アクセスポイントおよびピアツーピアグループオーナーから成るグループのうちの１つから受信される、Ｃ１１に記載の装置。
［Ｃ１８］
前記第２のラジオは、前記第１の信号が受信されるとき、スリープ状態にある、Ｃ１１に記載の装置。
［Ｃ１９］
ワイヤレス通信に関する装置であって、
ワイヤレスローカルエリアネットワーク（ＷＬＡＮ）ビーコンのトラフィック表示マップ（ＴＩＭ）の表示を備える第１の信号を受信するためのローエナジー（ＬＥ）トランシーバ、ここにおいて、前記第１の信号は、ＬＥ通信プロトコルを使用して受信される、および
前記表示に応答して、前記ＷＬＡＮビーコンを受信するために、ＷＬＡＮトランシーバを選択的にパワーアップするためのＷＬＡＮトランシーバアクティベータ
を備える、装置。
［Ｃ２０］
前記ＷＬＡＮトランシーバアクティベータは、
前記ＷＬＡＮビーコンのターゲットビーコンの送信の時間（ＴＢＴＴ）の前に所定の間隔で前記ＬＥトランシーバをパワーアップするためのＬＥトランシーバコーディネータをさらに備える、Ｃ１９に記載の装置。
［Ｃ２１］
前記ＬＥトランシーバは、前記ＷＬＡＮビーコンと同じ周期性で周期的に前記第１の信号を受信する、Ｃ１９に記載の装置。
［Ｃ２２］
前記ＷＬＡＮトランシーバアクティベータは、
前記ＷＬＡＮビーコンの前記ＴＩＭにおける前記装置に関連付けられたビットが設定されていることを表示する前記第１の信号に応答して、前記ＷＬＡＮビーコンを受信するために、前記ＷＬＡＮトランシーバをパワーアップする、Ｃ１９に記載の装置。
［Ｃ２３］
前記ＷＬＡＮトランシーバアクティベータは、
前記ＷＬＡＮビーコンの前記ＴＩＭにおける前記装置に関連付けられたビットが設定されていないことを表示する前記第１の信号に応答して、前記ＷＬＡＮトランシーバをパワーアップすることを控える、Ｃ１９に記載の装置。
［Ｃ２４］
前記ＷＬＡＮトランシーバアクティベータは、
第２のＷＬＡＮビーコンの第２のＴＩＭの第２の表示を備える第２の信号が、前記ＬＥ通信プロトコルを使用して前記ＬＥトランシーバによって受信されていなかったことを決定することに応答して、前記第２のＷＬＡＮビーコンを受信するために、前記ＷＬＡＮトランシーバをパワーアップする、Ｃ１９に記載の装置。
［Ｃ２５］
前記第１の信号は、アクセスポイントおよびピアツーピアグループオーナーから成るグループのうちの１つから受信される、Ｃ１９に記載の装置。
［Ｃ２６］
前記ＷＬＡＮトランシーバは、前記第１の信号が受信されるとき、スリープ状態にある、Ｃ１９に記載の装置。
［Ｃ２７］
ワイヤレス通信のためのコンピュータ実行可能コードを記憶する非一時的コンピュータ可読媒体であって、前記コードは、プロセッサによって、
ワイヤレスローカルエリアネットワーク（ＷＬＡＮ）ビーコンのトラフィック表示マップ（ＴＩＭ）の表示を備える第１の信号を、ワイヤレス局（ＳＴＡ）の第１のラジオを使用して、受信すること、ここにおいて、前記第１の信号はローエナジー（ＬＥ）通信プロトコルを使用して受信される、および
前記表示に応答して、前記ＷＬＡＮビーコンを受信するために、前記ワイヤレスＳＴＡの第２のラジオを選択的にパワーアップすること
を実行可能である、非一時的コンピュータ可読媒体。
［Ｃ２８］
前記コードは、前記プロセッサによって、前記ＷＬＡＮビーコンのターゲットビーコンの送信の時間（ＴＢＴＴ）の前に所定の間隔で前記第１のラジオをパワーアップすること
をさらに実行可能である、Ｃ２７に記載の非一時的コンピュータ可読媒体。
［Ｃ２９］
前記コードは、前記プロセッサによって、
前記ＷＬＡＮビーコンの前記ＴＩＭにおける前記ワイヤレス局に関連付けられたビットが設定されていることを表示する前記第１の信号に応答して、前記ＷＬＡＮビーコンを受信するために、前記ワイヤレス局の前記第２のラジオをパワーアップすること
をさらに実行可能である、Ｃ２７に記載の非一時的コンピュータ可読媒体。
［Ｃ３０］
前記コードは、前記プロセッサによって、
前記ＷＬＡＮビーコンの前記ＴＩＭにおける前記ワイヤレス局に関連付けられたビットが設定されていないことを表示する前記第１の信号に応答して、前記ワイヤレス局の前記第２のラジオをパワーアップすることを控えること
をさらに実行可能である、Ｃ２７に記載の非一時的コンピュータ可読媒体。
【図１】
0006279810.tif 000002
【図２】
0006279810.tif 000003
【図３Ａ】
0006279810.tif 000004
【図３Ｂ】
0006279810.tif 000005
【図４Ａ】
0006279810.tif 000006
【図４Ｂ】
0006279810.tif 000007
【図５】
0006279810.tif 000008
【図６】
0006279810.tif 000009
【図７】
0006279810.tif 000010
【図８】
0006279810.tif 000011
【図９】
0006279810.tif 000012
【図１０】
0006279810.tif 000013